(57)【要約】      （修正有）【課題】画像形成装置の操作画面を利用しつつ、複数の画像形成装置に関する設定処理をさらに容易に行う画像形成システムを提供する。【解決手段】画像形成システム１は、携帯端末５０と複数のＭＦＰ１０とを備える。携帯端末は、複数のＭＦＰ１０のうちの一の装置である親装置１０ａの遠隔操作装置として動作する遠隔操作モードによる通信接続を、親装置との間で確立した後、親装置から受信した操作画面を表示して操作画面に対するユーザ操作を受け付けるＳ４６。親装置は、ユーザ操作に基づく第１の設定用情報を携帯端末から受信するＳ４７と、第１の設定用情報に基づく第２の設定用情報を、設定対象子装置（親装置からの情報に基づき設定処理を行うべき子装置１０ｂ、１０ｃ）に対して送信するＳ５１。設定対象子装置は、第２の設定用情報に基づく設定内容を設定対象子装置に設定する。【選択図】図１２
2016182778.tif 000002
【特許請求の範囲】
【請求項１】
画像形成システムであって、
複数の画像形成装置と、
携帯端末と、
を備え、
前記携帯端末は、
前記複数の画像形成装置のうちの一の装置である親装置の遠隔操作装置として動作する遠隔操作モードによる通信接続を、前記親装置との間で確立する第１の通信手段と、
前記遠隔操作モードによる通信接続中において、前記親装置から受信した操作画面を表示し当該操作画面に対するユーザ操作を受け付ける操作手段と、
を有し、
前記第１の通信手段は、前記ユーザ操作に基づく第１の設定用情報を前記親装置に送信し、
前記親装置は、
前記第１の設定用情報を前記携帯端末から受信する第２の通信手段と、
前記複数の画像形成装置のうち前記親装置以外の装置であって前記親装置からの情報に基づき設定処理を行うべき子装置である設定対象子装置を決定する決定手段と、
を有し、
前記第２の通信手段は、前記第１の設定用情報に基づく第２の設定用情報を前記親装置から前記設定対象子装置に対して送信し、
前記設定対象子装置は、前記親装置から受信した前記第２の設定用情報に基づく設定内容を前記設定対象子装置に設定することを特徴とする画像形成システム。
【請求項２】
請求項１に記載の画像形成システムにおいて、
前記親装置は、
自装置に関する設定処理を実行する設定手段、
をさらに有し、
前記複数の画像形成装置に対して共通の内容が設定されるべき共通設定項目に関する設定画面である共通設定画面が前記操作画面として前記親装置から前記携帯端末に送信される場合、
前記設定手段は、前記第１の設定用情報に基づく設定内容を前記親装置自身に設定するとともに、
前記第２の通信手段は、前記第２の設定用情報を前記設定対象子装置に対して送信し、
前記設定対象子装置は、前記親装置から受信した前記第２の設定用情報に基づき、前記親装置に設定される前記設定内容と同じ内容を前記共通設定項目に関して設定することを特徴とする画像形成システム。
【請求項３】
請求項２に記載の画像形成システムにおいて、
前記第２の通信手段は、前記親装置に格納されている前記共通設定項目に関する設定画面を前記共通設定画面として前記携帯端末に送信することを特徴とする画像形成システム。
【請求項４】
請求項１に記載の画像形成システムにおいて、
前記複数の画像形成装置のそれぞれに対して個別の内容が設定されるべき個別設定項目に関する設定画面である個別設定画面が前記操作画面として前記親装置から前記携帯端末に送信される場合、
前記第２の通信手段は、前記第２の設定用情報を前記設定対象子装置に対して送信し、
前記設定対象子装置は、前記親装置から受信した前記第２の設定用情報に基づく設定内容を前記個別設定項目に関して設定することを特徴とする画像形成システム。
【請求項５】
請求項４に記載の画像形成システムにおいて、
前記親装置は、
前記親装置の設定画面であって前記個別設定項目に関する設定画面を複製して前記複数の画像形成装置の台数分の複数の画像を生成し、当該複数の画像を所定方向に配列して合成することによって前記個別設定画面を生成する生成手段、
をさらに有し、
前記操作手段は、前記個別設定画面の一部の範囲を表示対象範囲として表示することを特徴とする画像形成システム。
【請求項６】
請求項５に記載の画像形成システムにおいて、
前記第２の通信手段は、前記個別設定画面におけるユーザ操作の位置情報を前記携帯端末から受信し、
前記決定手段は、前記位置情報に基づき前記複数の画像形成装置の中から前記設定対象子装置を決定することを特徴とする画像形成システム。
【請求項７】
請求項５に記載の画像形成システムにおいて、
前記携帯端末は、
前記個別設定画面の一部の範囲を前記操作手段に拡大表示する表示制御手段であって、前記携帯端末の操作者の視線方向と前記携帯端末の現在位置から見た前記複数の画像形成装置の方向との関係に基づいて前記一部の範囲を変更する表示制御手段、
をさらに有することを特徴とする画像形成システム。
【請求項８】
請求項４に記載の画像形成システムにおいて、
前記親装置は、
前記個別設定項目に関する入力欄であって前記複数の画像形成装置の台数分の入力欄を配列した前記個別設定画面を生成する生成手段、
をさらに有し、
前記操作手段は、前記個別設定画面の全範囲を表示対象範囲として表示することを特徴とする画像形成システム。
【請求項９】
請求項４に記載の画像形成システムにおいて、
前記親装置は、
前記親装置に格納されている前記親装置用の設定画面であって前記個別設定項目に関する設定画面である親装置用設定画面と前記複数のタブ画像とを合成することによって前記個別設定画面を生成する生成手段、
をさらに有することを特徴とする画像形成システム。
【請求項１０】
請求項４に記載の画像形成システムにおいて、
前記親装置は、
前記設定対象子装置に格納されている前記設定対象子装置用の設定画面であって前記個別設定項目に関する設定画面である子装置用設定画面と前記複数のタブ画像とを合成することによって前記個別設定画面を生成する生成手段、
をさらに有することを特徴とする画像形成システム。
【請求項１１】
請求項１０に記載の画像形成システムにおいて、
前記第２の通信手段は、前記子装置用設定画面の送信依頼を前記設定対象子装置に送信するとともに、前記子装置用設定画面を前記設定対象子装置から受信し、
前記生成手段は、前記子装置用設定画面と前記複数のタブ画像との合成画像を前記個別設定画面として生成することを特徴とする画像形成システム。
【請求項１２】
請求項１１に記載の画像形成システムにおいて、
前記第２の通信手段は、前記個別設定画面に対するユーザ操作に基づく前記第１の設定用情報を前記親装置から受信し、前記第１の設定用情報に基づく第２の設定用情報を前記親装置から前記設定対象子装置に対して送信し、
前記設定対象子装置は、前記親装置から受信した前記第２の設定用情報に基づく設定内容を前記個別設定項目に関して設定することを特徴とする画像形成システム。
【請求項１３】
請求項９ないし請求項１２のいずれかに記載の画像形成システムにおいて、
前記第２の通信手段は、前記複数のタブ画像に対する操作位置を含む位置情報を前記携帯端末から受信し、
前記決定手段は、前記位置情報に基づき前記複数の画像形成装置の中から前記設定対象子装置を決定することを特徴とする画像形成システム。
【請求項１４】
請求項９ないし請求項１２のいずれかに記載の画像形成システムにおいて、
前記携帯端末は、
前記携帯端末の操作者の視線方向と前記携帯端末の現在位置から見た前記複数の画像形成装置の方向との関係に基づいて前記複数の画像形成装置の中から設定対象の装置を特定する特定手段、
をさらに有し、
前記決定手段は、前記特定手段による特定内容に基づき前記設定対象子装置を決定し、
前記第２の通信手段は、
前記特定手段によって特定された前記設定対象子装置向けの前記個別設定画面を、前記携帯端末に前記操作画面として送信することを特徴とする画像形成システム。
【請求項１５】
請求項７または請求項１４に記載の画像形成システムにおいて、
前記携帯端末は、
ユーザの移動に伴って、前記ユーザによって所持されている前記携帯端末と前記複数の画像形成装置のそれぞれとの間で順次に且つ個別に近距離無線通信を確立して行く際に、前記複数の画像形成装置の相互間における移動距離および移動方向をセンサを用いて検出することによって前記複数の画像形成装置の相互間の相対的位置関係を取得するとともに、前記複数の画像形成装置のいずれかの存在位置から前記携帯端末の現在の操作位置へと前記ユーザが移動する際の移動距離および移動方向を前記センサを用いて検出することによって前記現在の操作位置と前記複数の画像形成装置の各位置との相対的位置関係を取得する取得手段、
をさらに有することを特徴とする画像形成システム。
【請求項１６】
請求項１に記載の画像形成システムにおいて、
前記親装置は、
次に表示すべき前記操作画面が共通設定画面であるか個別設定画面であるかを判定する判定手段、
をさらに有し、
前記共通設定画面は、前記複数の画像形成装置に対して共通の内容が設定されるべき共通設定項目に関する設定画面であり、
前記個別設定画面は、前記複数の画像形成装置に対して個別の内容が設定されるべき個別設定項目に関する設定画面であり、
前記共通設定画面が次に表示されるべきであると判定される場合、
前記親装置は、前記共通設定項目に関する設定画面であって前記親装置に格納されている設定画面を前記共通設定画面として前記携帯端末に送信し、
前記個別設定画面が次に表示されるべきであると判定される場合、
前記親装置は、前記個別設定項目に関する設定画面であって前記親装置に格納されている設定画面に基づく新たな画面を生成し、当該新たな画面を前記個別設定画面として前記携帯端末に送信することを特徴とする画像形成システム。
【請求項１７】
請求項１６に記載の画像形成システムにおいて、
前記親装置は、
自装置に関する設定処理を実行する設定手段、
をさらに有し、
前記判定手段は、現在表示されている前記操作画面が共通設定画面であるか個別設定画面であるかを判定し、
前記操作画面が前記共通設定画面であると判定される場合、
前記設定手段は、前記第１の設定用情報に基づく設定内容を前記親装置自身に設定するとともに、
前記第２の通信手段は、前記第２の設定用情報を前記設定対象子装置に対して送信し、
前記設定対象子装置は、前記親装置から受信した前記第２の設定用情報に基づき、前記親装置に設定される前記設定内容と同じ内容を前記共通設定項目に関して設定し、
前記操作画面が前記個別設定画面であると判定される場合、
前記第２の通信手段は、前記第２の設定用情報を前記設定対象子装置に対して送信し、
前記設定対象子装置は、前記親装置から受信した前記第２の設定用情報に基づく設定内容を前記個別設定項目に関して設定することを特徴とする画像形成システム。
【請求項１８】
請求項１ないし請求項１７のいずれかに記載の画像形成システムにおいて、
前記携帯端末は、
前記複数の画像形成装置の装置情報に基づいて、前記複数の画像形成装置の中から前記親装置を決定する親装置決定手段、
をさらに有することを特徴とする画像形成システム。
【請求項１９】
請求項１８に記載の画像形成システムにおいて、
前記親装置決定手段は、前記複数の画像形成装置のうち、最も高いハードウエア性能を有する装置を前記親装置として決定することを特徴とする画像形成システム。
【請求項２０】
請求項１８に記載の画像形成システムにおいて、
前記親装置決定手段は、前記複数の画像形成装置のうち、無線ネットワーク通信の基地局との間の無線ネットワーク通信の強度が最も高い装置を前記親装置として決定することを特徴とする画像形成システム。
【請求項２１】
請求項１８ないし請求項２０のいずれかに記載の画像形成システムにおいて、
前記携帯端末は、
前記複数の画像形成装置のそれぞれとの間で近距離無線通信を個別に確立し、当該近距離無線通信を介して前記複数の画像形成装置の前記装置情報を取得する装置情報取得手段、
をさらに有することを特徴とする画像形成システム。
【請求項２２】
請求項１ないし請求項１７のいずれかに記載の画像形成システムにおいて、
前記携帯端末は、
前記複数の画像形成装置のそれぞれとの間で近距離無線通信を個別に確立し、当該近距離無線通信を介して前記複数の画像形成装置の装置情報を取得する装置情報取得手段、
をさらに有し、
前記第１の通信手段は、前記装置情報を前記親装置に送信し、
前記決定手段は、前記複数の画像形成装置の装置情報に基づいて前記子装置の通信先情報を取得することを特徴とする画像形成システム。
【請求項２３】
請求項１ないし請求項１７のいずれかに記載の画像形成システムにおいて、
前記親装置は、
前記複数の画像形成装置の装置情報を予め格納する格納手段、
をさらに有し、
前記決定手段は、前記複数の画像形成装置の前記装置情報に基づいて前記子装置の通信先情報を取得することを特徴とする画像形成システム。
【請求項２４】
画像形成システムを構成する複数の画像形成装置のうちの一の装置である画像形成装置であって、
前記複数の画像形成装置のうちの前記一の装置である親装置の遠隔操作装置として携帯端末を動作させる遠隔操作モードによる通信接続を、前記携帯端末との間で確立し、前記遠隔操作モードによる通信接続中において、前記携帯端末にて表示すべき操作画面を前記携帯端末に送信し、当該操作画面に対するユーザ操作に関する第１の設定用情報を前記携帯端末から受信する通信手段と、
前記複数の画像形成装置のうち前記親装置以外の装置であって前記親装置からの情報に基づき設定処理を行うべき子装置である設定対象子装置を決定する決定手段と、
を備え、
前記通信手段は、前記第１の設定用情報に基づく第２の設定用情報を前記親装置から前記設定対象子装置に対して送信することを特徴とする画像形成装置。
【請求項２５】
請求項２４に記載の画像形成装置において、
自装置に関する設定処理を実行する設定手段、
をさらに備え、
前記複数の画像形成装置に対して共通の内容が設定されるべき共通設定項目に関する設定画面である共通設定画面が前記操作画面として前記親装置から前記携帯端末に送信される場合、
前記設定手段は、前記第１の設定用情報に基づく設定内容を前記親装置自身に設定するとともに、
前記通信手段は、前記親装置に設定される前記設定内容と同じ内容を設定するために前記第２の設定用情報を前記設定対象子装置に対して送信することを特徴とする画像形成装置。
【請求項２６】
請求項２５に記載の画像形成装置において、
前記通信手段は、前記親装置に格納されている前記共通設定項目に関する設定画面を前記共通設定画面として前記携帯端末に送信することを特徴とする画像形成装置。
【請求項２７】
請求項２４に記載の画像形成装置において、
前記通信手段は、前記複数の画像形成装置のそれぞれに対して個別の内容が設定されるべき個別設定項目に関する設定画面である個別設定画面が前記操作画面として前記親装置から前記携帯端末に送信される場合、前記設定対象子装置に固有の値を設定するために前記第２の設定用情報を前記設定対象子装置に対して送信することを特徴とする画像形成装置。
【請求項２８】
請求項２７に記載の画像形成装置において、
前記親装置の設定画面であって前記個別設定項目に関する設定画面を複製して前記複数の画像形成装置の台数分の複数の画像を生成し、当該複数の画像を所定方向に配列して合成することによって前記個別設定画面を生成する生成手段、
をさらに備えることを特徴とする画像形成装置。
【請求項２９】
請求項２８に記載の画像形成装置において、
前記通信手段は、前記個別設定画面におけるユーザ操作の位置情報を前記携帯端末から受信し、
前記決定手段は、前記位置情報に基づき前記複数の画像形成装置の中から前記設定対象子装置を決定することを特徴とする画像形成装置。
【請求項３０】
請求項２７に記載の画像形成装置において、
前記個別設定項目に関する入力欄であって前記複数の画像形成装置の台数分の入力欄を配列した前記個別設定画面を生成する生成手段、
をさらに備えることを特徴とする画像形成装置。
【請求項３１】
請求項２７に記載の画像形成装置において、
前記親装置に格納されている前記親装置用の設定画面であって前記個別設定項目に関する設定画面である親装置用設定画面と前記複数のタブ画像とを合成することによって前記個別設定画面を生成する生成手段、
をさらに備えることを特徴とする画像形成装置。
【請求項３２】
請求項２７に記載の画像形成装置において、
前記設定対象子装置に格納されている前記設定対象子装置用の設定画面であって前記個別設定項目に関する設定画面である子装置用設定画面と前記複数のタブ画像とを合成することによって前記個別設定画面を生成する生成手段、
をさらに備えることを特徴とする画像形成装置。
【請求項３３】
請求項３２に記載の画像形成装置において、
前記通信手段は、前記子装置用設定画面の送信依頼を前記設定対象子装置に送信するとともに、前記子装置用設定画面を前記設定対象子装置から受信し、
前記生成手段は、前記子装置用設定画面と前記複数のタブ画像との合成画像を前記個別設定画面として生成することを特徴とする画像形成装置。
【請求項３４】
請求項３１ないし請求項３３のいずれかに記載の画像形成装置において、
前記通信手段は、前記複数のタブ画像に対する操作位置を含む位置情報を前記携帯端末から受信し、
前記決定手段は、前記位置情報に基づき前記複数の画像形成装置の中から前記設定対象子装置を決定することを特徴とする画像形成装置。
【請求項３５】
請求項２４ないし請求項３４のいずれかに記載の画像形成装置において、
前記複数の画像形成装置の装置情報を予め格納する格納手段、
をさらに有し、
前記決定手段は、前記複数の画像形成装置の前記装置情報に基づいて前記子装置の通信先情報を取得することを特徴とする画像形成装置。
【請求項３６】
請求項２４に記載の画像形成装置において、
次に表示すべき前記操作画面が共通設定画面であるか個別設定画面であるかを判定する判定手段、
をさらに備え、
前記共通設定画面は、前記複数の画像形成装置に対して共通の内容が設定されるべき共通設定項目に関する設定画面であり、
前記個別設定画面は、前記複数の画像形成装置に対して個別の内容が設定されるべき個別設定項目に関する設定画面であり、
前記共通設定画面が次に表示されるべきであると判定される場合、
前記親装置は、前記共通設定項目に関する設定画面であって前記親装置に格納されている設定画面を前記共通設定画面として前記携帯端末に送信し、
前記個別設定画面が次に表示されるべきであると判定される場合、
前記親装置は、前記個別設定項目に関する設定画面であって前記親装置に格納されている設定画面に基づく新たな画面を生成し、当該新たな画面を前記個別設定画面として前記携帯端末に送信することを特徴とする画像形成装置。
【請求項３７】
請求項３６に記載の画像形成装置において、
自装置に関する設定処理を実行する設定手段、
をさらに備え、
前記判定手段は、現在表示されている前記操作画面が共通設定画面であるか個別設定画面であるかを判定し、
前記操作画面が前記共通設定画面であると判定される場合、
前記設定手段は、前記第１の設定用情報に基づく設定内容を前記親装置自身に設定するとともに、
前記通信手段は、前記親装置に設定される前記設定内容と同じ内容を設定するために前記第２の設定用情報を前記設定対象子装置に対して送信し、
前記操作画面が前記個別設定画面であると判定される場合、
前記通信手段は、前記第２の設定用情報を前記設定対象子装置に対して送信することを特徴とする画像形成装置。
【請求項３８】
携帯端末に内蔵されたコンピュータに、
ａ）画像形成システムを構成する複数の画像形成装置の装置情報に基づいて、前記複数の画像形成装置の中から親装置を決定するステップと、
ｂ）前記親装置の遠隔操作装置として前記携帯端末を動作させる遠隔操作モードによる通信接続を、前記携帯端末と前記親装置との間で確立するステップと、
ｃ）前記遠隔操作モードによる通信接続中において、前記親装置から受信した操作画面であって前記複数の画像形成装置の設定処理を行うための操作画面を表示し当該操作画面に対するユーザ操作を受け付けるステップと、
ｄ）前記ユーザ操作に基づく第１の設定用情報を前記親装置に送信するステップと、
を実行させるためのプログラム。
【請求項３９】
請求項３８に記載のプログラムにおいて、
前記ステップｃ）において表示される前記操作画面は、前記複数の画像形成装置に対して共通の内容が設定されるべき共通設定項目に関する設定画面である共通設定画面であることを特徴とするプログラム。
【請求項４０】
請求項３８に記載のプログラムにおいて、
前記ステップｃ）において表示される前記操作画面は、前記複数の画像形成装置に対して個別の内容が設定されるべき個別設定項目に関する設定画面である個別設定画面であることを特徴とするプログラム。
【請求項４１】
請求項４０に記載のプログラムにおいて、
前記ステップｃ）は、
ｃ−１）前記操作画面として受信された前記個別設定画面の一部の範囲を前記携帯端末の表示部に拡大表示するステップと、
ｃ−２）前記携帯端末の操作者の視線方向と前記携帯端末の現在位置から見た前記複数の画像形成装置の方向との関係に基づいて前記一部の範囲を変更するステップと、
を有することを特徴とするプログラム。
【請求項４２】
請求項４０に記載のプログラムにおいて、
前記ステップｃ）は、
ｃ−１）前記携帯端末の操作者の視線方向と前記携帯端末の現在位置から見た前記複数の画像形成装置の方向との関係に基づいて前記複数の画像形成装置の中から設定対象装置を特定するステップと、
ｃ−２）前記特定された設定対象装置に関する情報を前記親装置に送信するステップと、
ｃ−３）前記親装置にて前記設定対象装置向けに生成された前記個別設定画面を前記親装置から受信するステップと、
ｃ−４）前記ステップｃ−３）で受信された前記個別設定画面を、前記携帯端末に前記操作画面として表示するステップと、
を有することを特徴とするプログラム。
【請求項４３】
請求項４１または請求項４２に記載のプログラムにおいて、
前記コンピュータに、
ｅ）前記ステップａ）よりも前において、前記複数の画像形成装置のそれぞれとの間で近距離無線通信を個別に確立し、当該近距離無線通信を介して前記複数の画像形成装置の装置情報を取得するステップ、
をさらに実行させるためのプログラムであって、
前記ステップｅ）においては、ユーザの移動に伴って、前記ユーザによって所持されている前記携帯端末と前記複数の画像形成装置のそれぞれとの間で順次に且つ個別に近距離無線通信を確立して行く際に、
前記複数の画像形成装置の相互間における移動距離および移動方向をセンサを用いて検出することによって前記複数の画像形成装置の相互間の相対的位置関係が取得されるとともに、
前記複数の画像形成装置のいずれかの存在位置から前記携帯端末の現在の操作位置へと前記ユーザが移動する際の移動距離および移動方向を前記センサを用いて検出することによって前記現在の操作位置と前記複数の画像形成装置の各位置との相対的位置関係が取得されることを特徴とするプログラム。
【請求項４４】
請求項３８ないし請求項４２のいずれかに記載のプログラムにおいて、
前記コンピュータに、
ｅ）前記ステップａ）よりも前において、前記複数の画像形成装置のそれぞれとの間で近距離無線通信を個別に確立し、当該近距離無線通信を介して前記複数の画像形成装置の装置情報を取得するステップ、
をさらに実行させるためのプログラム。
【請求項４５】
請求項３８ないし請求項４４のいずれかに記載のプログラムにおいて、
前記ステップａ）においては、前記複数の画像形成装置のうち、最も高いハードウエア性能を有する装置が前記親装置として決定されることを特徴とするプログラム。
【請求項４６】
請求項３８ないし請求項４４のいずれかに記載のプログラムにおいて、
前記ステップａ）においては、前記複数の画像形成装置のうち、無線ネットワーク通信の基地局との間の無線ネットワーク通信の強度が最も高い装置が前記親装置として決定されることを特徴とするプログラム。
【発明の詳細な説明】
【技術分野】
【０００１】
本発明は、ＭＦＰ（マルチ・ファンクション・ペリフェラル（Multi-Functional Peripheral））などの画像形成装置およびそれに関連する技術に関し、特に画像形成装置の設定技術に関する。
【背景技術】
【０００２】
画像形成装置の導入時あるいはメンテナンス時等において、サービスマン等によって画像形成装置に関する各種設定項目に関する設定処理が行われる。
【０００３】
たとえば、ＭＦＰの操作パネルに表示される設定画面を見ながら、各種の設定項目に関する設定内容をサービスマンが入力していくことが考えられる。
【０００４】
また、携帯端末を遠隔操作端末として用いてＭＦＰを操作する技術も存在する（特許文献１等参照）。この技術においては、ＭＦＰの表示部（タッチパネル等）に表示される操作画面と同様の画像を携帯端末の表示部（タッチパネル等）に表示し、当該画像を用いてＭＦＰを遠隔操作することが可能である。このような遠隔操作は、ＭＦＰ１０の遠隔操作モード（リモートパネルモード）において実行される。
【先行技術文献】
【特許文献】
【０００５】
【特許文献１】特開２０１３−１５０２７３号公報
【発明の概要】
【発明が解決しようとする課題】
【０００６】
ところで、上述のような遠隔操作技術を用いて、ＭＦＰの上述の設定処理を行うことが考えられる。これによれば、サービスマン等は、携帯端末にて順次に表示される、ＭＦＰの操作画面を利用して、設定処理をインターラクティブに（対話形式で）容易に行うことが可能である。
【０００７】
しかしながら、上述の遠隔操作技術においては、遠隔操作対象の特定のＭＦＰ１０のタッチパネルの操作画面が携帯端末に転送されて表示されることもあり、１台の携帯端末は或る時点にて１台のＭＦＰのみとの間で接続を実現することか可能である。換言すれば、当該携帯端末は、複数のＭＦＰとの同時接続を実現することができない。
【０００８】
そのため、当該遠隔操作技術をそのまま用いる場合、複数のＭＦＰに対して上述の設定処理を実現するためには、複数のＭＦＰとの接続および切断を繰り返し行うことが求められる。このような操作は、操作者にとって非常に煩わしい。
【０００９】
そこで、この発明は、画像形成装置の操作画面を利用しつつ、複数の画像形成装置に関する設定処理をさらに容易に行うことが可能な技術を提供することを課題とする。
【課題を解決するための手段】
【００１０】
上記課題を解決すべく、請求項１の発明は、画像形成システムであって、複数の画像形成装置と、携帯端末と、を備え、前記携帯端末は、前記複数の画像形成装置のうちの一の装置である親装置の遠隔操作装置として動作する遠隔操作モードによる通信接続を、前記親装置との間で確立する第１の通信手段と、前記遠隔操作モードによる通信接続中において、前記親装置から受信した操作画面を表示し当該操作画面に対するユーザ操作を受け付ける操作手段と、を有し、前記第１の通信手段は、前記ユーザ操作に基づく第１の設定用情報を前記親装置に送信し、前記親装置は、前記第１の設定用情報を前記携帯端末から受信する第２の通信手段と、前記複数の画像形成装置のうち前記親装置以外の装置であって前記親装置からの情報に基づき設定処理を行うべき子装置である設定対象子装置を決定する決定手段と、を有し、前記第２の通信手段は、前記第１の設定用情報に基づく第２の設定用情報を前記親装置から前記設定対象子装置に対して送信し、前記設定対象子装置は、前記親装置から受信した前記第２の設定用情報に基づく設定内容を前記設定対象子装置に設定することを特徴とする。
【００１１】
請求項２の発明は、請求項１の発明に係る画像形成システムにおいて、前記親装置は、自装置に関する設定処理を実行する設定手段、をさらに有し、前記複数の画像形成装置に対して共通の内容が設定されるべき共通設定項目に関する設定画面である共通設定画面が前記操作画面として前記親装置から前記携帯端末に送信される場合、前記設定手段は、前記第１の設定用情報に基づく設定内容を前記親装置自身に設定するとともに、前記第２の通信手段は、前記第２の設定用情報を前記設定対象子装置に対して送信し、前記設定対象子装置は、前記親装置から受信した前記第２の設定用情報に基づき、前記親装置に設定される前記設定内容と同じ内容を前記共通設定項目に関して設定することを特徴とする。
【００１２】
請求項３の発明は、請求項２の発明に係る画像形成システムにおいて、前記第２の通信手段は、前記親装置に格納されている前記共通設定項目に関する設定画面を前記共通設定画面として前記携帯端末に送信することを特徴とする。
【００１３】
請求項４の発明は、請求項１の発明に係る画像形成システムにおいて、前記複数の画像形成装置のそれぞれに対して個別の内容が設定されるべき個別設定項目に関する設定画面である個別設定画面が前記操作画面として前記親装置から前記携帯端末に送信される場合、前記第２の通信手段は、前記第２の設定用情報を前記設定対象子装置に対して送信し、前記設定対象子装置は、前記親装置から受信した前記第２の設定用情報に基づく設定内容を前記個別設定項目に関して設定することを特徴とする。
【００１４】
請求項５の発明は、請求項４の発明に係る画像形成システムにおいて、前記親装置は、前記親装置の設定画面であって前記個別設定項目に関する設定画面を複製して前記複数の画像形成装置の台数分の複数の画像を生成し、当該複数の画像を所定方向に配列して合成することによって前記個別設定画面を生成する生成手段、をさらに有し、前記操作手段は、前記個別設定画面の一部の範囲を表示対象範囲として表示することを特徴とする。
【００１５】
請求項６の発明は、請求項５の発明に係る画像形成システムにおいて、前記第２の通信手段は、前記個別設定画面におけるユーザ操作の位置情報を前記携帯端末から受信し、前記決定手段は、前記位置情報に基づき前記複数の画像形成装置の中から前記設定対象子装置を決定することを特徴とする。
【００１６】
請求項７の発明は、請求項５の発明に係る画像形成システムにおいて、前記携帯端末は、前記個別設定画面の一部の範囲を前記操作手段に拡大表示する表示制御手段であって、前記携帯端末の操作者の視線方向と前記携帯端末の現在位置から見た前記複数の画像形成装置の方向との関係に基づいて前記一部の範囲を変更する表示制御手段、をさらに有することを特徴とする。
【００１７】
請求項８の発明は、請求項４の発明に係る画像形成システムにおいて、前記親装置は、前記個別設定項目に関する入力欄であって前記複数の画像形成装置の台数分の入力欄を配列した前記個別設定画面を生成する生成手段、をさらに有し、前記操作手段は、前記個別設定画面の全範囲を表示対象範囲として表示することを特徴とする。
【００１８】
請求項９の発明は、請求項４の発明に係る画像形成システムにおいて、前記親装置は、前記親装置に格納されている前記親装置用の設定画面であって前記個別設定項目に関する設定画面である親装置用設定画面と前記複数のタブ画像とを合成することによって前記個別設定画面を生成する生成手段、をさらに有することを特徴とする。
【００１９】
請求項１０の発明は、請求項４の発明に係る画像形成システムにおいて、前記親装置は、前記設定対象子装置に格納されている前記設定対象子装置用の設定画面であって前記個別設定項目に関する設定画面である子装置用設定画面と前記複数のタブ画像とを合成することによって前記個別設定画面を生成する生成手段、をさらに有することを特徴とする。
【００２０】
請求項１１の発明は、請求項１０の発明に係る画像形成システムにおいて、前記第２の通信手段は、前記子装置用設定画面の送信依頼を前記設定対象子装置に送信するとともに、前記子装置用設定画面を前記設定対象子装置から受信し、前記生成手段は、前記子装置用設定画面と前記複数のタブ画像との合成画像を前記個別設定画面として生成することを特徴とする。
【００２１】
請求項１２の発明は、請求項１１の発明に係る画像形成システムにおいて、前記第２の通信手段は、前記個別設定画面に対するユーザ操作に基づく前記第１の設定用情報を前記親装置から受信し、前記第１の設定用情報に基づく第２の設定用情報を前記親装置から前記設定対象子装置に対して送信し、前記設定対象子装置は、前記親装置から受信した前記第２の設定用情報に基づく設定内容を前記個別設定項目に関して設定することを特徴とする。
【００２２】
請求項１３の発明は、請求項９ないし請求項１２のいずれかの発明に係る画像形成システムにおいて、前記第２の通信手段は、前記複数のタブ画像に対する操作位置を含む位置情報を前記携帯端末から受信し、前記決定手段は、前記位置情報に基づき前記複数の画像形成装置の中から前記設定対象子装置を決定することを特徴とする。
【００２３】
請求項１４の発明は、請求項９ないし請求項１２のいずれかの発明に係る画像形成システムにおいて、前記携帯端末は、前記携帯端末の操作者の視線方向と前記携帯端末の現在位置から見た前記複数の画像形成装置の方向との関係に基づいて前記複数の画像形成装置の中から設定対象の装置を特定する特定手段、をさらに有し、前記決定手段は、前記特定手段による特定内容に基づき前記設定対象子装置を決定し、前記第２の通信手段は、前記特定手段によって特定された前記設定対象子装置向けの前記個別設定画面を、前記携帯端末に前記操作画面として送信することを特徴とする。
【００２４】
請求項１５の発明は、請求項７または請求項１４の発明に係る画像形成システムにおいて、前記携帯端末は、ユーザの移動に伴って、前記ユーザによって所持されている前記携帯端末と前記複数の画像形成装置のそれぞれとの間で順次に且つ個別に近距離無線通信を確立して行く際に、前記複数の画像形成装置の相互間における移動距離および移動方向をセンサを用いて検出することによって前記複数の画像形成装置の相互間の相対的位置関係を取得するとともに、前記複数の画像形成装置のいずれかの存在位置から前記携帯端末の現在の操作位置へと前記ユーザが移動する際の移動距離および移動方向を前記センサを用いて検出することによって前記現在の操作位置と前記複数の画像形成装置の各位置との相対的位置関係を取得する取得手段、をさらに有することを特徴とする。
【００２５】
請求項１６の発明は、請求項１の発明に係る画像形成システムにおいて、前記親装置は、次に表示すべき前記操作画面が共通設定画面であるか個別設定画面であるかを判定する判定手段、をさらに有し、前記共通設定画面は、前記複数の画像形成装置に対して共通の内容が設定されるべき共通設定項目に関する設定画面であり、前記個別設定画面は、前記複数の画像形成装置に対して個別の内容が設定されるべき個別設定項目に関する設定画面であり、前記共通設定画面が次に表示されるべきであると判定される場合、前記親装置は、前記共通設定項目に関する設定画面であって前記親装置に格納されている設定画面を前記共通設定画面として前記携帯端末に送信し、前記個別設定画面が次に表示されるべきであると判定される場合、前記親装置は、前記個別設定項目に関する設定画面であって前記親装置に格納されている設定画面に基づく新たな画面を生成し、当該新たな画面を前記個別設定画面として前記携帯端末に送信することを特徴とする。
【００２６】
請求項１７の発明は、請求項１６の発明に係る画像形成システムにおいて、前記親装置は、自装置に関する設定処理を実行する設定手段、をさらに有し、前記判定手段は、現在表示されている前記操作画面が共通設定画面であるか個別設定画面であるかを判定し、前記操作画面が前記共通設定画面であると判定される場合、前記設定手段は、前記第１の設定用情報に基づく設定内容を前記親装置自身に設定するとともに、前記第２の通信手段は、前記第２の設定用情報を前記設定対象子装置に対して送信し、前記設定対象子装置は、前記親装置から受信した前記第２の設定用情報に基づき、前記親装置に設定される前記設定内容と同じ内容を前記共通設定項目に関して設定し、前記操作画面が前記個別設定画面であると判定される場合、前記第２の通信手段は、前記第２の設定用情報を前記設定対象子装置に対して送信し、前記設定対象子装置は、前記親装置から受信した前記第２の設定用情報に基づく設定内容を前記個別設定項目に関して設定することを特徴とする。
【００２７】
請求項１８の発明は、請求項１ないし請求項１７のいずれかの発明に係る画像形成システムにおいて、前記携帯端末は、前記複数の画像形成装置の装置情報に基づいて、前記複数の画像形成装置の中から前記親装置を決定する親装置決定手段、をさらに有することを特徴とする。
【００２８】
請求項１９の発明は、請求項１８の発明に係る画像形成システムにおいて、前記親装置決定手段は、前記複数の画像形成装置のうち、最も高いハードウエア性能を有する装置を前記親装置として決定することを特徴とする。
【００２９】
請求項２０の発明は、請求項１８の発明に係る画像形成システムにおいて、前記親装置決定手段は、前記複数の画像形成装置のうち、無線ネットワーク通信の基地局との間の無線ネットワーク通信の強度が最も高い装置を前記親装置として決定することを特徴とする。
【００３０】
請求項２１の発明は、請求項１８ないし請求項２０のいずれかの発明に係る画像形成システムにおいて、前記携帯端末は、前記複数の画像形成装置のそれぞれとの間で近距離無線通信を個別に確立し、当該近距離無線通信を介して前記複数の画像形成装置の前記装置情報を取得する装置情報取得手段、をさらに有することを特徴とする。
【００３１】
請求項２２の発明は、請求項１ないし請求項１７のいずれかの発明に係る画像形成システムにおいて、前記携帯端末は、前記複数の画像形成装置のそれぞれとの間で近距離無線通信を個別に確立し、当該近距離無線通信を介して前記複数の画像形成装置の装置情報を取得する装置情報取得手段、をさらに有し、前記第１の通信手段は、前記装置情報を前記親装置に送信し、前記決定手段は、前記複数の画像形成装置の装置情報に基づいて前記子装置の通信先情報を取得することを特徴とする。
【００３２】
請求項２３の発明は、請求項１ないし請求項１７のいずれかの発明に係る画像形成システムにおいて、前記親装置は、前記複数の画像形成装置の装置情報を予め格納する格納手段、をさらに有し、前記決定手段は、前記複数の画像形成装置の前記装置情報に基づいて前記子装置の通信先情報を取得することを特徴とする。
【００３３】
請求項２４の発明は、画像形成システムを構成する複数の画像形成装置のうちの一の装置である画像形成装置であって、前記複数の画像形成装置のうちの前記一の装置である親装置の遠隔操作装置として携帯端末を動作させる遠隔操作モードによる通信接続を、前記携帯端末との間で確立し、前記遠隔操作モードによる通信接続中において、前記携帯端末にて表示すべき操作画面を前記携帯端末に送信し、当該操作画面に対するユーザ操作に関する第１の設定用情報を前記携帯端末から受信する通信手段と、前記複数の画像形成装置のうち前記親装置以外の装置であって前記親装置からの情報に基づき設定処理を行うべき子装置である設定対象子装置を決定する決定手段と、を備え、前記通信手段は、前記第１の設定用情報に基づく第２の設定用情報を前記親装置から前記設定対象子装置に対して送信することを特徴とする。
【００３４】
請求項２５の発明は、請求項２４の発明に係る画像形成装置において、自装置に関する設定処理を実行する設定手段、をさらに備え、前記複数の画像形成装置に対して共通の内容が設定されるべき共通設定項目に関する設定画面である共通設定画面が前記操作画面として前記親装置から前記携帯端末に送信される場合、前記設定手段は、前記第１の設定用情報に基づく設定内容を前記親装置自身に設定するとともに、前記通信手段は、前記親装置に設定される前記設定内容と同じ内容を設定するために前記第２の設定用情報を前記設定対象子装置に対して送信することを特徴とする。
【００３５】
請求項２６の発明は、請求項２５の発明に係る画像形成装置において、前記通信手段は、前記親装置に格納されている前記共通設定項目に関する設定画面を前記共通設定画面として前記携帯端末に送信することを特徴とする。
【００３６】
請求項２７の発明は、請求項２４の発明に係る画像形成装置において、前記通信手段は、前記複数の画像形成装置のそれぞれに対して個別の内容が設定されるべき個別設定項目に関する設定画面である個別設定画面が前記操作画面として前記親装置から前記携帯端末に送信される場合、前記設定対象子装置に固有の値を設定するために前記第２の設定用情報を前記設定対象子装置に対して送信することを特徴とする。
【００３７】
請求項２８の発明は、請求項２７の発明に係る画像形成装置において、前記親装置の設定画面であって前記個別設定項目に関する設定画面を複製して前記複数の画像形成装置の台数分の複数の画像を生成し、当該複数の画像を所定方向に配列して合成することによって前記個別設定画面を生成する生成手段、をさらに備えることを特徴とする。
【００３８】
請求項２９の発明は、請求項２８の発明に係る画像形成装置において、前記通信手段は、前記個別設定画面におけるユーザ操作の位置情報を前記携帯端末から受信し、前記決定手段は、前記位置情報に基づき前記複数の画像形成装置の中から前記設定対象子装置を決定することを特徴とする。
【００３９】
請求項３０の発明は、請求項２７の発明に係る画像形成装置において、前記個別設定項目に関する入力欄であって前記複数の画像形成装置の台数分の入力欄を配列した前記個別設定画面を生成する生成手段、をさらに備えることを特徴とする。
【００４０】
請求項３１の発明は、請求項２７の発明に係る画像形成装置において、前記親装置に格納されている前記親装置用の設定画面であって前記個別設定項目に関する設定画面である親装置用設定画面と前記複数のタブ画像とを合成することによって前記個別設定画面を生成する生成手段、をさらに備えることを特徴とする。
【００４１】
請求項３２の発明は、請求項２７の発明に係る画像形成装置において、前記設定対象子装置に格納されている前記設定対象子装置用の設定画面であって前記個別設定項目に関する設定画面である子装置用設定画面と前記複数のタブ画像とを合成することによって前記個別設定画面を生成する生成手段、をさらに備えることを特徴とする。
【００４２】
請求項３３の発明は、請求項３２の発明に係る画像形成装置において、前記通信手段は、前記子装置用設定画面の送信依頼を前記設定対象子装置に送信するとともに、前記子装置用設定画面を前記設定対象子装置から受信し、前記生成手段は、前記子装置用設定画面と前記複数のタブ画像との合成画像を前記個別設定画面として生成することを特徴とする。
【００４３】
請求項３４の発明は、請求項３１ないし請求項３３のいずれかの発明に係る画像形成装置において、前記通信手段は、前記複数のタブ画像に対する操作位置を含む位置情報を前記携帯端末から受信し、前記決定手段は、前記位置情報に基づき前記複数の画像形成装置の中から前記設定対象子装置を決定することを特徴とする。
【００４４】
請求項３５の発明は、請求項２４ないし請求項３４のいずれかの発明に係る画像形成装置において、前記複数の画像形成装置の装置情報を予め格納する格納手段、をさらに有し、前記決定手段は、前記複数の画像形成装置の前記装置情報に基づいて前記子装置の通信先情報を取得することを特徴とする。
【００４５】
請求項３６の発明は、請求項２４の発明に係る画像形成装置において、次に表示すべき前記操作画面が共通設定画面であるか個別設定画面であるかを判定する判定手段、をさらに備え、前記共通設定画面は、前記複数の画像形成装置に対して共通の内容が設定されるべき共通設定項目に関する設定画面であり、前記個別設定画面は、前記複数の画像形成装置に対して個別の内容が設定されるべき個別設定項目に関する設定画面であり、前記共通設定画面が次に表示されるべきであると判定される場合、前記親装置は、前記共通設定項目に関する設定画面であって前記親装置に格納されている設定画面を前記共通設定画面として前記携帯端末に送信し、前記個別設定画面が次に表示されるべきであると判定される場合、前記親装置は、前記個別設定項目に関する設定画面であって前記親装置に格納されている設定画面に基づく新たな画面を生成し、当該新たな画面を前記個別設定画面として前記携帯端末に送信することを特徴とする。
【００４６】
請求項３７の発明は、請求項３６の発明に係る画像形成装置において、自装置に関する設定処理を実行する設定手段、をさらに備え、前記判定手段は、現在表示されている前記操作画面が共通設定画面であるか個別設定画面であるかを判定し、前記操作画面が前記共通設定画面であると判定される場合、前記設定手段は、前記第１の設定用情報に基づく設定内容を前記親装置自身に設定するとともに、前記通信手段は、前記親装置に設定される前記設定内容と同じ内容を設定するために前記第２の設定用情報を前記設定対象子装置に対して送信し、前記操作画面が前記個別設定画面であると判定される場合、前記通信手段は、前記第２の設定用情報を前記設定対象子装置に対して送信することを特徴とする。
【００４７】
請求項３８の発明は、携帯端末に内蔵されたコンピュータに、ａ）画像形成システムを構成する複数の画像形成装置の装置情報に基づいて、前記複数の画像形成装置の中から親装置を決定するステップと、ｂ）前記親装置の遠隔操作装置として前記携帯端末を動作させる遠隔操作モードによる通信接続を、前記携帯端末と前記親装置との間で確立するステップと、ｃ）前記遠隔操作モードによる通信接続中において、前記親装置から受信した操作画面であって前記複数の画像形成装置の設定処理を行うための操作画面を表示し当該操作画面に対するユーザ操作を受け付けるステップと、ｄ）前記ユーザ操作に基づく第１の設定用情報を前記親装置に送信するステップと、を実行させるためのプログラムであることを特徴とする。
【００４８】
請求項３９の発明は、請求項３８の発明に係るプログラムにおいて、前記ステップｃ）において表示される前記操作画面は、前記複数の画像形成装置に対して共通の内容が設定されるべき共通設定項目に関する設定画面である共通設定画面であることを特徴とする。
【００４９】
請求項４０の発明は、請求項３８の発明に係るプログラムにおいて、前記ステップｃ）において表示される前記操作画面は、前記複数の画像形成装置に対して個別の内容が設定されるべき個別設定項目に関する設定画面である個別設定画面であることを特徴とする。
【００５０】
請求項４１の発明は、請求項４０の発明に係るプログラムにおいて、前記ステップｃ）は、ｃ−１）前記操作画面として受信された前記個別設定画面の一部の範囲を前記携帯端末の表示部に拡大表示するステップと、ｃ−２）前記携帯端末の操作者の視線方向と前記携帯端末の現在位置から見た前記複数の画像形成装置の方向との関係に基づいて前記一部の範囲を変更するステップと、を有することを特徴とする。
【００５１】
請求項４２の発明は、請求項４０の発明に係るプログラムにおいて、前記ステップｃ）は、ｃ−１）前記携帯端末の操作者の視線方向と前記携帯端末の現在位置から見た前記複数の画像形成装置の方向との関係に基づいて前記複数の画像形成装置の中から設定対象装置を特定するステップと、ｃ−２）前記特定された設定対象装置に関する情報を前記親装置に送信するステップと、ｃ−３）前記親装置にて前記設定対象装置向けに生成された前記個別設定画面を前記親装置から受信するステップと、ｃ−４）前記ステップｃ−３）で受信された前記個別設定画面を、前記携帯端末に前記操作画面として表示するステップと、を有することを特徴とする。
【００５２】
請求項４３の発明は、請求項４１または請求項４２の発明に係るプログラムにおいて、前記コンピュータに、ｅ）前記ステップａ）よりも前において、前記複数の画像形成装置のそれぞれとの間で近距離無線通信を個別に確立し、当該近距離無線通信を介して前記複数の画像形成装置の装置情報を取得するステップ、をさらに実行させるためのプログラムであって、前記ステップｅ）においては、ユーザの移動に伴って、前記ユーザによって所持されている前記携帯端末と前記複数の画像形成装置のそれぞれとの間で順次に且つ個別に近距離無線通信を確立して行く際に、前記複数の画像形成装置の相互間における移動距離および移動方向をセンサを用いて検出することによって前記複数の画像形成装置の相互間の相対的位置関係が取得されるとともに、前記複数の画像形成装置のいずれかの存在位置から前記携帯端末の現在の操作位置へと前記ユーザが移動する際の移動距離および移動方向を前記センサを用いて検出することによって前記現在の操作位置と前記複数の画像形成装置の各位置との相対的位置関係が取得されることを特徴とする。
【００５３】
請求項４４の発明は、請求項３８ないし請求項４２のいずれかの発明に係るプログラムにおいて、前記コンピュータに、ｅ）前記ステップａ）よりも前において、前記複数の画像形成装置のそれぞれとの間で近距離無線通信を個別に確立し、当該近距離無線通信を介して前記複数の画像形成装置の装置情報を取得するステップ、をさらに実行させるためのプログラムであることを特徴とする。
【００５４】
請求項４５の発明は、請求項３８ないし請求項４４のいずれかの発明に係るプログラムにおいて、前記ステップａ）においては、前記複数の画像形成装置のうち、最も高いハードウエア性能を有する装置が前記親装置として決定されることを特徴とする。
【００５５】
請求項４６の発明は、請求項３８ないし請求項４４のいずれかの発明に係るプログラムにおいて、前記ステップａ）においては、前記複数の画像形成装置のうち、無線ネットワーク通信の基地局との間の無線ネットワーク通信の強度が最も高い装置が前記親装置として決定されることを特徴とする。
【発明の効果】
【００５６】
請求項１ないし請求項４６に記載の発明によれば、携帯端末と複数の画像形成装置のうちの一の装置である親装置との間で遠隔操作モードによる通信接続が確立された状態で他の装置の設定を行うことが可能である。また、複数の画像形成装置のうちの他の装置の設定のために、携帯端末と当該他の装置との間の遠隔操作モードによる接続をやり直すことを要しないので、操作が容易である。したがって、画像形成装置の操作画面を利用しつつ、複数の画像形成装置に関する設定処理をさらに容易に行うことが可能である。
【００５７】
特に、請求項２および請求項２５に記載の発明によれば、遠隔操作モードにて携帯端末に操作画面として表示される共通設定画面を用いて、親装置と子装置との双方に対して同じ内容を容易に設定することが可能である。
【００５８】
また特に、請求項４および請求項２７に記載の発明によれば、遠隔操作モードにて携帯端末に操作画面として表示される個別設定画面を用いて、各子装置に対して個別の内容を容易に設定することが可能である。
【図面の簡単な説明】
【００５９】
【図１】第１実施形態に係る画像形成システムを示す図である。
【図２】画像形成装置（ＭＦＰ）の機能ブロックを示す図である。
【図３】携帯端末の概略構成を示す機能ブロック図である。
【図４】画面データテーブルの一例を示す図である。
【図５】携帯端末の動作を示すフローチャートである。
【図６】携帯端末の動作を示すフローチャートである。
【図７】ＭＦＰの動作を示すフローチャートである。
【図８】ＭＦＰの動作を示すフローチャートである。
【図９】画像形成システムにおける動作例を示すタイミングチャートである。
【図１０】複数のＭＦＰの装置情報の取得処理を示す概念図である。
【図１１】遠隔操作モードによる接続開始直後の動作を示す概念図である。
【図１２】共通設定画面を用いた設定動作を示す概念図である。
【図１３】プリンタのソフトウエアディップスイッチに関する設定項目を設定する設定画面（共通設定画面）を示す図である。
【図１４】スキャナのソフトウエアディップスイッチに関する設定項目を設定する設定画面（共通設定画面）を示す図である。
【図１５】ＡＤＦのソフトウエアディップスイッチに関する設定項目を設定する設定画面（共通設定画面）を示す図である。
【図１６】フィニッシャの有無に関する設定画面を示す図である。
【図１７】第２実施形態に係るＭＦＰの動作を示すフローチャートである。
【図１８】第２実施形態に係る画像形成システムの動作の一例を示すタイミングチャートである。
【図１９】個別設定画面を用いた設定動作を示す概念図である。
【図２０】個別設定画面を示す図である。
【図２１】個別設定画面が生成される様子を示す概念図である。
【図２２】複数のＭＦＰの装置情報および位置情報の取得処理を示す概念図である。
【図２３】位置情報（地図情報）を示す図である。
【図２４】個別設定画面内の一部領域が表示される様子を示す図である。
【図２５】携帯端末が最も左側のＭＦＰに向いている様子を示す図である。
【図２６】携帯端末が最も右側のＭＦＰに向いている様子を示す図である。
【図２７】個別設定画面内の別の一部領域が表示される様子を示す図である。
【図２８】携帯端末が中央のＭＦＰに向いている様子を示す図である。
【図２９】「１号機」用の個別設定画面を示す図である。
【図３０】「２号機」用の個別設定画面を示す図である。
【図３１】「３号機」用の個別設定画面を示す図である。
【図３２】変形例に係る個別設定画面を示す図である。
【発明を実施するための形態】
【００６０】
以下、本発明の実施形態を図面に基づいて説明する。
【００６１】
＜１．第１実施形態＞
＜１−１．概要＞
図１は、本発明の第１実施形態に係る画像形成システム１を示す図である。図１に示すように、画像形成システム１は、携帯端末５０と複数の画像形成装置１０（１０ａ，１０ｂ，１０ｃ）とを備える。ここでは、画像形成装置１０として、ＭＦＰ（マルチ・ファンクション・ペリフェラル（Multi-Functional Peripheral））を例示する。
【００６２】
携帯端末５０と各ＭＦＰ１０とは、各種の通信技術を用いて互いに接続され得る。たとえば、ＭＦＰ１０と携帯端末との間の通信には、各種の無線ＬＡＮ（IEEE 802.11等）による通信、および近距離無線通信が利用され得る。後述するように、ＭＦＰ１０の遠隔操作モード（リモートパネルモード）による遠隔操作においては、無線ＬＡＮによる通信が主に利用される。また、ステップＳ１１の装置情報取得処理においては、近距離無線通信が利用される。なお、近距離無線通信としては、ＮＦＣ（Near field communication）（近接場型無線通信）および／またはBluetooth（登録商標）規格に基づく通信等が用いられる。
【００６３】
また、複数のＭＦＰ１０の相互間の通信には、各種のネットワーク通信（無線ＬＡＮおよび／または有線ＬＡＮ）が用いられる。
【００６４】
＜１−２．画像形成装置の構成＞
図２は、ＭＦＰ１０の機能ブロックを示す図である。
【００６５】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００６６】
画像読取部２は、ＭＦＰ１０の所定の位置に載置された原稿を光学的に読み取って（すなわちスキャンして）、当該原稿の画像データ（原稿画像ないしスキャン画像とも称する）を生成する処理部である。この画像読取部２は、スキャン部であるとも称される。
【００６７】
印刷出力部３は、印刷対象に関するデータに基づいて紙などの各種の媒体に画像を印刷出力する出力部である。
【００６８】
通信部４は、公衆回線等を介したファクシミリ通信を行うことが可能な処理部である。さらに、通信部４は、各種のネットワーク通信を行うことも可能である。具体的には、通信部４は、ネットワーク通信（IEEE 802.11等）を行うネットワーク通信部４ｘを備える。ネットワーク通信部４ｘは、送信部４ａと受信部４ｂとを備える。ネットワーク通信部４ｘは、無線による通信と有線による通信とを行うことが可能である。また、通信部４は、近距離無線通信を行う近距離無線通信部４ｙをも備える。
【００６９】
格納部５は、ハードディスクドライブ（ＨＤＤ）等の記憶装置で構成される。
【００７０】
操作部６は、ＭＦＰ１０に対する操作入力を受け付ける操作入力部６ａと、各種情報の表示出力を行う表示部６ｂとを備えている。
【００７１】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者からの各種の操作入力を受け付けることが可能である。
【００７２】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介して各装置にインストールされてもよく、あるいはネットワーク等を介して各装置にインストールされてもよい。
【００７３】
具体的には、図２に示すように、コントローラ９は、上記のプログラムの実行により、通信制御部１１と入力制御部１２と表示制御部１３と判定部１５と設定部１６と送信先決定部１７とを含む各種の処理部を実現する。
【００７４】
通信制御部１１は、他の装置（携帯端末５０等）との間の通信動作を通信部４等と協働して制御する処理部である。通信制御部１１は、各種データの送信動作を制御する送信制御部と各種データの受信動作を制御する受信制御部とを有する。
【００７５】
入力制御部１２は、操作入力部６ａ（タッチパネル２５等）に対する操作入力動作を制御する制御部である。たとえば、入力制御部１２は、タッチパネル２５に表示された操作画面に対する操作入力（ユーザからの指定入力等）を受け付ける動作を制御する。
【００７６】
表示制御部１３は、表示部６ｂ（タッチパネル２５等）における表示動作を制御する処理部である。表示制御部１３は、ＭＦＰ１０を操作するための操作画面（遠隔操作画面）等をタッチパネル２５に表示させる。
【００７７】
判定部１５は、後述するように、次に表示すべき操作画面（遷移先画面）（および現在表示されている操作画面）が共通設定画面であるか個別設定画面であるか等を判定する。
【００７８】
設定部１６は、自装置に関する設定処理を実行する処理部である。
【００７９】
送信先決定部１７は、複数のＭＦＰ１０の中から設定対象子装置（設定情報の送信先の装置）を決定する処理部である。
【００８０】
生成部１８は、各種の操作画面（設定画面等）を生成する処理部である。
【００８１】
＜１−３．携帯端末の構成＞
携帯端末５０は、ＭＦＰ１０（画像形成装置）を遠隔操作する装置（遠隔操作装置）である。
【００８２】
次に携帯端末５０の構成について説明する。
【００８３】
携帯端末５０は、ＭＦＰ１０との間でのネットワーク通信が可能な情報入出力端末装置（情報端末）である。ここでは、携帯端末５０として、スマートフォンを例示する。ただし、これに限定されず、携帯端末５０は、タブレット型端末であってもよく、あるいはパーソナルコンピュータなどであってもよい。
【００８４】
図３は、携帯端末５０の概略構成を示す機能ブロック図である。
【００８５】
携帯端末５０は、図３の機能ブロック図に示すように、通信部５４、格納部５５、操作部５６、方位検出センサ（電子コンパス）５７ａ、加速度センサ５７ｂ、ジャイロセンサ５７ｃおよびコントローラ５９等を備えており、これらの各部を複合的に動作させることによって、各種の機能を実現する。
【００８６】
通信部５４は、各種のネットワーク通信を行うことが可能である。通信部５４は、ネットワーク通信（IEEE 802.11等）を行うネットワーク通信部５４ｘを備える。ネットワーク通信部５４ｘは、送信部５４ａと受信部５４ｂとを備える。ネットワーク通信部５４ｘは、無線による通信と有線による通信とを行うことが可能である。また、通信部５４は、近距離無線通信を行う近距離無線通信部５４ｙをも備える。
【００８７】
格納部５５は、不揮発性の半導体メモリ等の記憶装置で構成される。格納部５５には、たとえば、親装置１０ａ（後述）から送信されてきた各種の設定画面（図１３等参照）（詳細にはその画像データ）が一時的に格納される。
【００８８】
操作部５６は、携帯端末５０に対する操作入力を受け付ける操作入力部５６ａと、各種情報の表示出力を行う表示部５６ｂとを備えている。この携帯端末５０においては、液晶表示パネルに各種センサ等が埋め込まれて構成されたタッチパネル７５（図１参照）が設けられている。このタッチパネル７５は、操作入力部５６ａの一部としても機能するとともに、表示部５６ｂの一部としても機能する。特に、操作部５６は、遠隔操作モード（後述）による通信接続中において、親装置（ＭＦＰ１０ａ等）（後述）から受信した操作画面（設定画面等）を表示し当該操作画面に対するユーザ操作を受け付ける。
【００８９】
方位検出センサ５７ａは、地磁気を検出し方位を検出するセンサ（検出部）である。
【００９０】
加速度センサ５７ｂは、携帯端末５０の加速度を検出するセンサである。ジャイロセンサ５７ｃは、携帯端末５０の角速度を検出するセンサである。
【００９１】
方位検出センサ５７ａ、加速度センサ５７ｂおよびジャイロセンサ５７ｃを用いることによって、携帯端末５０の移動方向および移動距離等を検出することが可能である。
【００９２】
図３のコントローラ５９は、携帯端末５０に内蔵され、携帯端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、格納部５５（半導体メモリ等）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介して各装置にインストールされてもよく、あるいはネットワーク等を介して各装置にインストールされてもよい。
【００９３】
携帯端末５０には、ＭＦＰ１０を遠隔操作するためのプログラム（遠隔操作用プログラム）等がインストールされている。
【００９４】
具体的には、コントローラ５９は、遠隔操作用プログラム等の実行により、通信制御部６１と入力制御部６２と表示制御部６３と取得部６５と親装置決定部６６と特定部６７とを含む各種の処理部を実現する。
【００９５】
通信制御部６１は、通信部５４等と協働して、ＭＦＰ１０等との通信動作を制御する処理部である。
【００９６】
入力制御部６２は、操作入力部５６ａ（タッチパネル７５等）に対する操作入力動作を制御する制御部である。
【００９７】
表示制御部６３は、表示部５６ｂ（タッチパネル７５等）における表示動作を制御する処理部である。表示制御部６３は、ＭＦＰ１０から送信されてくる各種の操作画面の表示動作等を制御する。
【００９８】
取得部６５は、携帯端末５０の各種のセンサによる検出結果に基づいて、複数のＭＦＰ１０の相互間の相対的位置関係を取得するとともに、携帯端末５０の現在の操作位置と複数のＭＦＰ１０の各位置との相対的位置関係等をも取得する。
【００９９】
親装置決定部６６は、複数のＭＦＰ（画像形成装置）１０の装置情報に基づいて、当該複数のＭＦＰ１０の中から親装置を決定する処理部である。
【０１００】
特定部６７は、複数の画像形成装置の中から設定対象の装置を特定する処理等を実行する処理部である。
【０１０１】
コントローラ５９は、これら各種の処理部等を用いて、複数のＭＦＰ１０の設定処理等を制御する。なお、後に詳述するように、この実施形態の携帯端末５０は、或るＭＦＰ（詳細には親ＭＦＰ）１０ａとのリモートパネルモードによる接続中において、当該ＭＦＰ１０ａのみならず、ＭＦＰ１０ａにネットワーク接続されている他のＭＦＰ（ＭＦＰ１０ｂ，１０ｃ等）の設定操作をも行うことが可能である。
【０１０２】
ＭＦＰ１０の格納部５には、複数の操作画面に関する情報（複数の設定画面の画像データおよび画面データテーブル２００等）が格納されている。図４は、画面データテーブル２００の一例を示す図である。図４に示すように、画面データテーブル２００には、各操作画面の「画面ＩＤ」、「画面名称」、「種別」等が含まれる。なお、画面ＩＤは、操作画面（設定画面等）を識別する識別子（ＩＤ）であり、画面名称は、当該画面の名称である。また、「種別」は、「初期画面」、「共通設定画面」、「個別設定画面」などの画面種類を示す情報である。
【０１０３】
＜１−４．動作＞
図５および図６は、携帯端末５０の動作を示すフローチャートであり、図７および図８は、ＭＦＰ１０（より詳細には親装置（後述）１０ａ）の動作を示すフローチャートである。また、図９は、本システムにおける動作例を示すタイミングチャートである。以下、これらの図を参照しながら、本システム１の動作について説明する。
【０１０４】
まず、ステップＳ１１（図５等）に示すように、１つのグループを構成する複数のＭＦＰ１０（１０ａ，１０ｂ，１０ｃ）の装置情報の取得処理が携帯端末５０によって行われる。具体的には、図１０にも示すように、操作者（ユーザ）が複数のＭＦＰ１０のそれぞれの載置場所に順次に移動する。そして、ユーザの移動に伴って、複数のＭＦＰ１０の各載置場所において、当該ユーザによって所持されている携帯端末５０と当該複数のＭＦＰ１０のそれぞれとの間で近距離無線通信を個別に確立することによって、携帯端末５０（取得部６５）は複数のＭＦＰ１０の各装置情報を取得する。各ＭＦＰ１０の「装置情報」としては、たとえば、当該ＭＦＰのネットワーク情報（ＩＰアドレス等）、当該ＭＦＰの製品コード（機種コード）、ファームウエアのバージョン情報、ハードウエア情報（ＣＰＵおよびパネルサイズ等）などが取得される。また、各ＭＦＰ１０の「装置情報」として、各ＭＦＰ１０と無線ネットワーク通信の基地局（無線ＬＡＮのアクセスポイント）との間のネットワーク通信（無線ネットワーク通信）の強度（電波強度）も取得される。なお、ここでは、初期状態において、各ＭＦＰ１０に対して、動的ＩＰアドレス割付（ＤＨＣＰ（Dynamic Host Configuration Protocol））によってＩＰアドレスがそれぞれ自動的に割り付けられているものとする。
【０１０５】
ステップＳ１１においては、より詳細には、操作者は、たとえば先ず最寄りのＭＦＰ１０ｃに近づき、携帯端末５０をＭＦＰ１０ｃに近接させる。具体的には、操作者は、ＭＦＰ１０ｃにおけるＮＦＣ用タッチ部に対して携帯端末５０を近接（接触を含む）させる。このとき、携帯端末５０は、当該携帯端末５０とＭＦＰ１０ｃとの間で近距離無線通信を行い、ＭＦＰ１０ｃの装置情報を受信する。次に、操作者は、次に近いＭＦＰ１０ａに近づき、携帯端末５０をＭＦＰ１０ａに近接させる。そして、携帯端末５０は、当該携帯端末５０とＭＦＰ１０ａとの間で近距離無線通信を行い、ＭＦＰ１０ａの装置情報を受信する。さらに、操作者は、別のＭＦＰ１０ｂに近づき、携帯端末５０をＭＦＰ１０ｂに近接させる。携帯端末５０は、当該携帯端末５０とＭＦＰ１０ｂとの間で近距離無線通信を行い、ＭＦＰ１０ｂの装置情報を受信する。
【０１０６】
このようにして、携帯端末５０は、複数のＭＦＰ１０（１０ａ，１０ｂ，１０ｃ）の装置情報を各ＭＦＰ１０から直接的に取得する。
【０１０７】
つぎに、ステップＳ１２において、携帯端末５０（親装置決定部６６）は、複数のＭＦＰ１０の各「装置情報」に基づいて、複数のＭＦＰの中から「親装置（親ＭＦＰとも称する）」を決定する。
【０１０８】
ここにおいて、「親装置」は、複数のＭＦＰ１０のうちの一の装置（ＭＦＰ）である。後述するように、携帯端末５０は、遠隔操作モードによる通信接続（リモートパネル接続とも称する）を当該親装置との間でのみ確立する。そして、携帯端末５０は、このリモートパネル接続による遠隔操作を用いて、親装置の設定処理を行うとともに、当該親装置を介して子装置（複数のＭＦＰ１０のうち当該親装置以外の装置）の設定処理をも行う。
【０１０９】
携帯端末５０は、たとえば、複数のＭＦＰ１０のうち、最も高い性能（最も高いハードウエア性能）を有する装置を「親装置」として決定する。これによれば、携帯端末５０との通信処理（操作画面の送受信を伴う処理）を比較的高速に実行することが可能である。ただし、これに限定されず、携帯端末５０は、複数のＭＦＰ１０のうち、最も最新のファームウエアが搭載されている装置を「親装置」として決定するようにしてもよい。あるいは、携帯端末５０は、複数のＭＦＰ１０のうち、無線ネットワーク通信の基地局との間のネットワーク通信の強度が最も高いＭＦＰを「親装置」として決定するようにしてもよい。これらによっても、携帯端末５０との通信処理（操作画面の送受信を伴う処理）を比較的高速に実行することが可能である。
【０１１０】
ここでは、ＭＦＰ１０ａが「親装置（親ＭＦＰ）」として決定されたものとして説明を続ける。
【０１１１】
次に、ステップＳ１３において、携帯端末５０は、携帯端末５０の動作モードを、親装置１０ａの遠隔操作装置として動作する遠隔操作モード（リモートパネルモードとも称する）に移行させる。
【０１１２】
この遠隔操作モードは、複数のＭＦＰ１０のうち一の装置（親装置）との間でのみ直接的な通信接続を確立し、当該一の装置から操作画面（詳細にはその画像データ）を受信し、当該操作画面を利用して親装置１０ａを遠隔操作するモードである。遠隔操作モードでは、親装置１０ａからの操作画面を利用して、親装置１０ａに対する各種の設定操作を行うことが可能である。また、後述するように、親装置１０ａから送信されてくる操作画面を利用して、複数のＭＦＰ１０のうち（親装置１０ａのみならず）他の装置１０ｂ，１０ｃに対する各種の設定操作を行うことも可能である。
【０１１３】
ステップＳ１３においては、携帯端末５０は、ステップＳ１２で決定された親装置１０ａとの間で「遠隔操作モード」（リモートパネルモード）による通信接続を確立する。なお、この通信接続の確立に応じて、親装置１０ａの動作モードは、携帯端末５０による遠隔操作を受け付ける被遠隔操作モードに移行する。
【０１１４】
このとき、携帯端末５０は、複数のＭＦＰ１０の各「装置情報」をも「親装置」（１０ａ）に送信する。これによって、親装置（ＭＦＰ１０ａ）は、子装置（ＭＦＰ１０ｂ，１０ｃ）の装置情報（ＩＰアドレス等）を知得することが可能である。上述のように、「装置情報」には、ネットワーク情報（ＩＰアドレス等）、製品コード（機種コード）、ファームウエアのバージョン情報、ハードウエア情報（ＣＰＵおよびパネルサイズ等）、ネットワーク通信強度などが含まれる。
【０１１５】
なお、ステップＳ１３にて遠隔操作モードによる親装置１０ａと携帯端末５０との通信接続が確立された後、次のステップＳ１４以降の処理は、当該通信接続が維持された状態で実行される。
【０１１６】
次に、ステップＳ１４において、親装置１０ａは、ステップＳ１３で受信した装置情報を解析する。たとえば、親装置１０ａは、グループを構成する複数のＭＦＰ１０のうち自装置（親装置）以外の装置（子装置）を特定し、各子装置の通信先アドレス等を取得する。ここでは、親装置１０ａは、ＭＦＰ１０ｂ，１０ｃを子装置として特定し、各ＭＦＰ（子装置）１０ｂ，１０ｃのＩＰアドレスを取得するものとする。
【０１１７】
ステップＳ１５〜ステップＳ１９においては、親装置１０ａと各子装置１０ｂ，１０ｃとの間の通信（親子装置間通信）が確立される。なお、この通信（親子装置間通信）は、上述のリモートパネル接続におけるルートとは別のルートの通信である。本システム１においては、上述のリモートパネル接続と親子装置間接続とが同時に併存する。
【０１１８】
詳細には、接続すべき子装置が存在する旨が判定され（ステップＳ１５）、複数の子装置のうち一の子装置１０ｂが装置情報に基づき特定される（ステップＳ１６）。そして、当該子装置１０ｂと親装置１０ａとの間の通信が確立され、子装置１０ｂと親装置１０ａとの間の初期通信が行われる（ステップＳ１７）。未だ初期通信が完了していない子装置が存在する旨がステップＳ１８にて判定されると再びステップＳ１６に戻り、同様の動作が繰り返される。これにより、別の子装置１０ｃと親装置１０ａとの間の初期通信等が行われる。全ての子装置との接続（初期通信）が完了した旨がステップＳ１８にて判定されると、その旨を示す接続完了通知が親装置１０ａから携帯端末５０へと送信される（ステップＳ１９）。
【０１１９】
次に、ステップＳ２１において、親装置１０ａは、携帯端末５０にて最初に表示されるべき起動画面（初期画面）を生成する。そして、ステップＳ２２において、当該起動画面（詳細には、所定の形式で圧縮された画像データ）を携帯端末５０に送信する。携帯端末５０は、当該起動画面を親装置１０ａから受信する（ステップＳ２２）（図５も参照）と、当該起動画面をタッチパネル７５に表示する（図９および図１１も参照）。
【０１２０】
操作者が、次画面への遷移のために当該起動画面内のＯＫボタンを押下すると、携帯端末５０は当該ユーザ操作を受け付け、操作情報（ここでは、押下位置（タッチ位置）の座標情報（タッチ座標））を親装置１０ａに送信する（ステップＳ２３）。
【０１２１】
親装置１０ａは、操作情報（タッチ座標）を受信する（ステップＳ２３（ステップＳ３１（図８）））と、当該操作情報（受信情報）を解析し、ユーザ操作の指示内容を把握する。
【０１２２】
親装置１０ａは、その解析結果に応じてステップＳ３３，Ｓ３５，Ｓ４１（図８）の分岐処理を行う。ここでは、画面遷移指示（ＯＫボタンの押下指示）であることが判定され、処理はステップＳ４１を経由してステップＳ４２に進む。
【０１２３】
ステップＳ４２において、親装置１０ａは、画面データテーブル２００（図４参照）等に基づいて、次の遷移先画面を決定する。ここでは、親装置１０ａは、複数の設定項目のうち「共通設定項目」に関する設定画面（共通設定画面）を次の遷移先画面として決定する。
【０１２４】
ここで、「共通設定項目」は、複数のＭＦＰ１０に対して共通の（同じ）設定内容が設定されるべき設定項目である。たとえば、互いに同様の機能を有する複数のＭＦＰ１０において、プリンタのソフトウエアディップスイッチに関する設定項目は、互いに同じ設定値（たとえば「１６８４３」）に設定されることがある。なお、「１６８４３」（１０進数表記）は、複数の個別設定値（それぞれ１ビット〜数ビットで構成される個別設定値）が統合された設定値（多ビット（たとえば３２ビット）で構成される設定値）である。当該プリンタのソフトウエアディップスイッチに関する設定項目は、「共通設定項目」の１つである。また、共通設定項目としては、スキャナのソフトウエアディップスイッチに関する設定項目、およびＡＤＦ（Auto Document Feeder：原稿自動送り装置） のソフトウエアディップスイッチに関する設定項目等も例示される（図４参照）。また、共通設定項目としては、フィニッシャ（後処理装置）の有無（「装着」、「非装着」）に関する設定項目等も例示される。
【０１２５】
その後、親装置１０ａは、親装置１０ａに格納されている当該共通設定項目に関する設定画面を共通設定画面（詳細には所定の形式で圧縮された画像データ）として生成し（ステップＳ４４）、当該共通設定画面３１０を携帯端末５０に送信する（ステップＳ４６）。親装置１０ａは、共通設定画面３１０を携帯端末５０における操作画面として携帯端末５０へと送信する。
【０１２６】
携帯端末５０は、当該共通設定画面（詳細にはその画像データ）３１０を親装置１０ａから受信すると画面遷移指示が受け付けられたと判定し（ステップＳ４８）（図６も参照）、親装置１０ａから受信した共通設定画面３１０をタッチパネル７５に表示する（ステップＳ４６）（図９および図１２も参照）。そして、携帯端末５０は、当該共通設定画面３１０に対するユーザ操作を待機する。
【０１２７】
図１３は、プリンタのソフトウエアディップスイッチに関する設定項目を設定する設定画面（共通設定画面）３１１（３１０）を示す図である。図１４は、スキャナのソフトウエアディップスイッチに関する設定項目を設定する設定画面（共通設定画面）３１２を示す図であり、図１５は、ＡＤＦのソフトウエアディップスイッチに関する設定項目を設定する設定画面（共通設定画面）３１３を示す図である。また、図１６は、フィニッシャ（後処理装置）の有無（「装着」、「非装着」）に関する設定画面３１４を示す図である。たとえば、これら複数の画面３１１〜３１４のそれぞれが共通設定画面３１０として表示され得る。なお、ここでは、各設定画面内にそれぞれ単一の設定項目が設けられているが、これに限定されず、各設定画面内に複数の設定項目が設けられてもよい。
【０１２８】
操作者が、共通設定画面３１０に対するユーザ操作を行うと、携帯端末５０は当該ユーザ操作を受け付ける。そして、携帯端末５０は、当該ユーザ操作による操作情報を親装置１０ａに送信する（ステップＳ４７）。この操作情報は、ユーザ操作による設定用情報（第１の設定用情報とも称する）とも称される。第１の設定用情報は、１回の通信で一度に送信されてもよく、あるいは、ユーザ操作等に応じて複数回に分けて送信されてもよい。
【０１２９】
たとえば、図１３に示すような画面３１１において、プリンタのソフトウエアディップスイッチに関する設定項目の入力欄が押下され、当該入力欄に「１６８４３」が入力された場合には、当該入力欄に対する押下位置（押下操作位置）の座標（タッチ座標）と、入力欄に入力された値（設定用入力値）とが携帯端末５０から親装置１０ａに送信される。この場合、親装置１０ａは、これらの情報に基づいて、設定項目の項目ＩＤと設定項目の設定内容とを認識し、プリンタのソフトウエアディップスイッチに関する設定項目の設定内容を「１６８４３」に設定することが可能である（後述するステップＳ３１，Ｓ３２，Ｓ５１等参照）。
【０１３０】
このように、第１の設定用情報として、押下位置（タッチ位置）の座標情報（タッチ座標）と設定用の入力値（設定用入力値）との双方が送信され得る。なお、これに限定されず、第１の設定情報として、タッチ座標のみが送信されてもよい。たとえば、図１６に示すような画面３１４において、「装着」を設定するボタンが押下された場合には、当該ボタンに対する押下位置（押下操作位置）の座標（タッチ座標）のみが携帯端末５０から親装置１０ａに送信される。この場合、親装置１０ａは、当該タッチ座標の情報を受信すると、当該タッチ座標（「装着」ボタン内の座標値）に基づいて、フィニッシャの装着／非装着に関する設定項目の設定内容を「装着」に設定することが可能である（後述するステップＳ３１，Ｓ３２，Ｓ５１等参照）。
【０１３１】
親装置１０ａは、当該設定用情報（第１の設定用情報）を受信する（ステップＳ３１（図８））と、当該第１の設定用情報（受信情報）を解析し、ユーザ操作の指示内容を判定（把握）する。
【０１３２】
親装置１０ａは、その解析結果に応じてステップＳ３３，Ｓ３５，Ｓ４１の分岐処理を行う。たとえば、ユーザ操作が設定項目の設定操作であることが解析結果として得られる場合には、ステップＳ３５で「ＹＥＳ」であると判定され、ステップＳ５１に進む。
【０１３３】
ステップＳ５１では、親装置１０ａは、共通設定画面３１０を用いた設定操作が行われたことに基づいて、複数のＭＦＰ１０の全てに対して同じ内容を登録すべき旨を判定する。換言すれば、親装置１０ａと子装置１０ｂ，１０ｃとを含む全てのＭＦＰ１０ａ，１０ｂ，１０ｃが「設定対象装置」（設定処理の対象装置）として決定される。なお、このうち子装置１０ｂ，１０ｃは、「設定対象子装置」としても決定される。「設定対象子装置」は、複数の装置のうち親装置以外の装置（子装置）であって、親装置からの情報に基づき設定処理を行うべき装置（子装置）である。
【０１３４】
そして、次の２種類の登録処理（具体的には、自装置（親装置）に関する登録処理、および子装置に関する登録処理）が行われる。
【０１３５】
まず、親装置１０ａは、自装置１０ａに関する登録処理を実行する。具体的には、この共通設定項目に関して、親装置１０ａは、携帯端末５０を介して送信されてきた設定用入力値を親装置１０ａの設定内容として設定する。
【０１３６】
また、親装置１０ａは、子装置１０ｂ，１０ｃに関する登録処理をも実行する。具体的には、親装置１０ａは、携帯端末５０上でのユーザ操作に基づき携帯端末５０から送信されてきた設定用情報（第１の設定用情報）に基づき、複数のＭＦＰのうち子装置における設定を行うための設定用情報（第２の設定用情報）を生成する。そして、親装置１０ａは、当該第２の設定用情報を子装置１０ｂ，１０ｃに対して送信する。より詳細には、親装置１０ａは、携帯端末５０を介さずに直接的に（換言すれば、遠隔操作モードによる親装置１０ａと携帯端末５０との間の通信ルートとは別のルートで）子装置１０ｂ，１０ｃに対して第２の設定用情報を送信する。
【０１３７】
たとえば、親装置１０ａは、設定項目に対応するタッチ座標と当該設定項目における設定入力値とを第１の設定用情報として携帯端末５０から受信すると、親装置１０ａは、次のような設定用情報（第２の設定用情報）を生成する。具体的には、親装置１０ａは、この共通設定項目に関する共通設定画面３１０の画面ＩＤを追加するとともに、設定項目に対応する「タッチ座標」を「設定項目の項目ＩＤ」に変換した情報を第２の設定用情報として生成する。すなわち、親装置１０ａは、この共通設定項目に関する共通設定画面の画面ＩＤと、設定項目の項目ＩＤと、当該設定項目における設定入力値とを含む情報を、第２の設定用情報として生成する。そして、親装置１０ａは、この第２の設定用情報を子装置１０ｂ，１０ｃに対してそれぞれ送信する。なお、これに限定されず、第２の設定用情報には、設定項目の項目ＩＤに代えて、設定項目に対応する「タッチ座標」がそのまま含まれていてもよい。この場合には、受信側の子装置（１０ｂ等）が当該「タッチ座標」を「設定項目の項目ＩＤ」に変換すればよい。
【０１３８】
子装置（設定対象子装置）１０ｂ，１０ｃは、それぞれ、親装置１０ａから受信した第２の設定用情報に基づく設定内容を当該子装置１０ｂ，１０ｃ自身に設定する。具体的には、子装置１０ｂ，１０ｃは、親装置１０ａで設定された設定内容と同じ内容を共通設定項目に関して設定する。このようにして共通設定項目に関する設定処理が実行されることによって、共通設定項目に関して、複数のＭＦＰ１０（１０ａ，１０ｂ，１０ｃ）の全てにおいて同じ内容が登録される。なお、親装置１０ａの処理は再びステップＳ３１に戻る。
【０１３９】
その後、操作者が共通設定画面内のＯＫボタンを押下すると、携帯端末５０は当該ユーザ操作を受け付け、操作情報（ここでは、押下位置（タッチ位置）の座標情報（タッチ座標））を親装置１０ａに送信する（ステップＳ４７）。
【０１４０】
親装置１０ａは、当該操作情報（タッチ座標）を受信する（ステップＳ３１（図８））と、当該情報（受信情報）を解析し、ユーザ操作の指示内容を把握する。
【０１４１】
親装置１０ａは、ユーザ操作がＯＫボタンの押下であり且つ画面遷移指示である旨を判定し、処理はステップＳ４１を経由してステップＳ４２に進む。
【０１４２】
ステップＳ４２において、親装置１０ａは、画面データテーブル２００（図４参照）等に基づいて、次の遷移先画面を決定する。たとえば、別の「共通設定項目」に関する設定画面（共通設定画面）が次の遷移先画面として決定される。そして、親装置１０ａは当該共通設定画面（詳細には所定の形式で圧縮された画像データ）を生成し（ステップＳ４４）、当該共通設定画面を携帯端末５０に送信する（ステップＳ４６）。
【０１４３】
以降、同様の動作が繰り返し実行される。
【０１４４】
その後、或る操作画面（たとえば最終画面等）がタッチパネル７５に表示された状態において、当該操作画面内の「切断キー」（不図示）が押下されると、その操作情報（タッチ座標等）が携帯端末５０から親装置１０ａに送信される（ステップＳ４７）。親装置１０ａは、当該操作情報を受信し（ステップＳ３１）、切断キーが押下された旨を当該操作情報（タッチ座標等）に基づき判定する（ステップＳ３２）。そして、親装置１０ａは、接続解除通知を携帯端末５０に送信し（ステップＳ３４）、その後、携帯端末５０との接続を解除する。携帯端末５０は、接続解除通知を受信する（ステップＳ４９）と、本フローチャートの処理を終了する。
【０１４５】
以上のような動作によれば、携帯端末５０と親装置１０ａとが遠隔操作モードで接続されている期間内において、親装置１０ａから携帯端末５０に送信される設定画面（ＭＦＰ１０の操作画面）を用いて、ユーザによる設定操作を行うことが可能である。そして、ユーザ操作に基づく第１の設定用情報（設定画面内の選択肢に対するタッチ座標あるいは設定入力値等）が携帯端末５０から親装置１０ａに送信される（ステップＳ４７）。そして、親装置１０ａは、第１の設定用情報に基づく第２の設定用情報を各子装置１０ｂ，１０ｃに対して（携帯端末５０を経由せずに直接的に）送信し、子装置１０ｂ，１０ｃは、親装置１０ａとの間の通信により第２の設定用情報を当該親装置１０ａから受信する。換言すれば、当該設定用情報は、複数のＭＦＰ１０のうち子装置における設定を行うために携帯端末５０から各子装置１０ｂ，１０ｃへと送信される。そして、子装置１０ｂ，１０ｃは、それぞれ、親装置１０ａから受信した当該第２の設定用情報に基づいて子装置１０ｂ，１０ｃの設定を行う。
【０１４６】
このように、携帯端末５０は、携帯端末５０と親装置１０ａとの間の通信、および親装置１０ａと各子装置１０ｂ，１０ｃとの間の通信を介して、設定用情報を子装置１０ｂ，１０ｃに送信し、子装置１０ｂ，１０ｃの設定を行うことが可能である。換言すれば、携帯端末５０は、親装置１０ａのみとの間で通信を確立した状態で他の子装置１０ｂ，１０ｃの設定を行うことが可能である。したがって、他の子装置の設定のために、携帯端末５０と当該他の子装置（子ＭＦＰ）との間のリモート接続をやり直すことを要しないので、操作が容易である。端的に言えば、ＭＦＰ１０の操作画面を利用しつつ、複数のＭＦＰ１０に関する設定処理をさらに容易に行うことが可能である。
【０１４７】
＜２．第２実施形態＞
上記第１実施形態においては、共通設定項目に関する設定処理（共通設定処理）のみが行われているが、本発明はこれに限定されない。たとえば、「個別設定項目」（複数のＭＦＰ１０において互いに異なる設定内容に設定される設定項目）に関する設定処理（個別設定処理）もが行われてもよい。
【０１４８】
第２実施形態においては、「共通設定項目」に関する設定処理のみならず、「個別設定項目」に関する設定処理もが行われる態様について説明する。
【０１４９】
図１７は、第２実施形態に係る親装置１０ａの動作を示すフローチャートであり、図１８は、第２実施形態に係るシステムの動作（特に、「個別設定処理」に関する動作）の一例を示すタイミングチャートである。第２実施形態においては、図８の動作に代えて図１７の動作が実行される点において、第１実施形態と相違する。図１７は、ステップＳ３６，Ｓ５３，Ｓ４３，Ｓ４５が追加されている点において、図８と相違する。
【０１５０】
第２実施形態においては、まず、第１実施形態と同様にして共通設定画面の表示処理および共通設定処理等が行われる。
【０１５１】
具体的には、図１７に示すように、ステップＳ４２の次に、ステップＳ４３の判定処理が実行される。ステップＳ４３においては、次に表示すべき設定画面（遷移先画面）が「共通設定画面」であるか「個別設定画面」であるかが、画面データテーブル２００等に基づいて判定される。なお、「個別設定画面」は、「個別設定項目」に関する設定画面である。
【０１５２】
次の設定画面（遷移先画面）が共通設定画面であると判定される場合には、上記第１実施形態と同様に、共通設定画面が生成され（ステップＳ４４）、当該共通設定画面が携帯端末５０に転送される（ステップＳ４６）。なお、現在の設定画面が個別設定画面であると判定される場合には、後述するように、個別設定画面が生成され（ステップＳ４５）、当該個別設定画面が携帯端末５０に転送される（ステップＳ４６）。
【０１５３】
また、当該共通設定画面に対するユーザ操作に関する設定用情報等が携帯端末５０から親装置１０ａに送信された後、ステップＳ３５で「ＹＥＳ」と判定されるとステップＳ３６（図１７参照）に進む。ステップＳ３６では、親装置１０ａは、現在の設定画面（携帯端末５０（および親装置１０ａ）にて現在表示されている設定画面）が「共通設定画面」であるか「個別設定画面」であるかを判定する。そして、現在の設定画面が共通設定画面であると判定される場合には、上記第１実施形態における共通設定処理に関する登録処理と同様の登録処理が実行される（ステップＳ５１）。なお、現在の設定画面が個別設定画面であると判定される場合には、後述するステップＳ５３の処理が実行される。
【０１５４】
この第２実施形態においては、第１実施形態と同様にして共通設定処理が行われた後、今度は個別設定処理が行われるものとする。
【０１５５】
具体的には、或る画面からの遷移指示が携帯端末５０にて受け付けられた（ステップＳ４７）後、当該遷移指示（操作情報）が親装置１０ａに送信される。親装置１０ａは、携帯端末５０から受信した操作情報を解析し（ステップＳ３２）、画面遷移指示であることが判定されるとステップＳ４２に進む。
【０１５６】
ステップＳ４２においては、親装置１０ａは、画面データテーブル２００（図４参照）等に基づいて、「個別設定画面」を、次の遷移先画面として決定する。
【０１５７】
ここで、「個別設定項目」は、複数のＭＦＰ１０において互いに異なる設定内容に設定される設定項目である。たとえば、複数のＭＦＰ１０において固定ＩＰアドレス（静的なローカルＩＰアドレス）を割り付ける場合は、各ＩＰアドレスは固有の値であり、各ＭＦＰ１０におけるＩＰアドレスに関する設定値は、個別に設定される値（個別設定値）である。換言すれば、「ＩＰアドレス」は個別設定項目であり、「ＩＰアドレス」に関する設定画面は個別設定画面である。
【０１５８】
そして、親装置１０ａは、遷移先画面が個別設定画面であることに基づき、処理をステップＳ４３からステップＳ４５に進め、親装置１０ａは個別設定画面を生成する。たとえば、親装置１０ａは、親装置１０ａのＩＰアドレス設定用の設定画面（親装置１０ａに格納されている設定画面）に基づく新たな画面を個別設定画面として生成する。
【０１５９】
より詳細には、図２１に示すように、親装置１０ａは、自装置１０ａの格納部５に格納されているＩＰアドレス設定画面４１０（４１０ａ）を複写して３つの画像（合成前画像）を生成する。３つの画像のそれぞれには、各画像が何れのＭＦＰ向けの画像（画面）であるかを示す情報（たとえば、「ＭＦＰ１号機」用等）が記載（表示）されることが好ましい。そして、親装置１０ａは、当該３つの画像を水平方向に配列して合成した新たな画面４５０を、個別設定画面として生成する。図２１は、個別設定画面４５０（４５０ａ）が生成される様子を示す概念図である。なお、ここでは、「機体番号」（号機番号）の設定は、「ＩＰアドレス」の設定に先立って予め行われているものとする。「機体番号」も「個別設定項目」として登録され得る。
【０１６０】
このように、親装置１０ａは、親装置１０ａの設定画面（個別設定項目に関する設定画面）を複製して複数のＭＦＰ１０の台数分の複数の画像を生成し、当該複数の画像を所定方向に配列して合成することによって新たな画面（個別設定画面）４５０を生成する。
【０１６１】
そして、親装置１０ａは、当該個別設定画面４５０（詳細には所定の形式で圧縮された画像データ）を携帯端末５０に送信する（ステップＳ４６）。換言すれば、親装置１０ａは、個別設定画面４５０を、携帯端末５０における操作画面として携帯端末５０へと送信する。
【０１６２】
携帯端末５０は、個別設定画面４５０（詳細にはその画像データ）を親装置１０ａから受信すると、画面遷移指示が受け付けられたと判定し（ステップＳ４８）（図６も参照）、親装置１０ａから受信した個別設定画面４５０をタッチパネル７５に表示する（ステップＳ４６）（図１７〜図１９も参照）。ただし、親装置１０ａは、個別設定画面４５０の一部領域（所定サイズの一部の範囲）のみをタッチパネル７５に大きく表示する。より詳細には、携帯端末５０は、個別設定画面４５０に含まれる３つの画像のうちの１つの画像に相当する大きさの画像をタッチパネル７５の全面に亘って表示する。たとえば、図２０および図２１に示すように、個別設定画面４５０のうち最も左側の合成前画像に相当する領域（図２１にて破線で囲まれる領域）のみが表示対象領域（表示対象範囲）としてタッチパネル７５に表示（拡大表示）される。そして、携帯端末５０は、当該個別設定画面（操作画面）４５０に対するユーザ操作を待機する。
【０１６３】
なお、ここでは、実空間において、３台のＭＦＰ１０が、操作者から見て左から１号機、２号機、３号機の順で配置されるものとする。
【０１６４】
また、操作者は、フリック操作によって表示対象領域（ひいては設定対象装置）を変更することが可能である。たとえば、右側から左側へと向かう向きのフリック操作によって、個別設定画面４５０内の表示対象領域を、現在表示中の部分領域よりも比較的右側の部分領域へと変更（移動）することが可能である。これによって、操作者は、いずれの装置向けの設定を行うかを選択することが可能である。たとえば、最も左側の合成前画像に代えて中央の合成前画像をタッチパネル７５の全体に表示することによって、ＭＦＰ２号機（ここではＭＦＰ１０ａ）に関するＩＰアドレスの設定操作を行うことが可能である。
【０１６５】
その後、操作者が、ＩＰアドレスの入力操作（ユーザ操作）を行うと、携帯端末５０は当該入力操作を受け付ける。そして、携帯端末５０は、当該ユーザ操作による第１の設定用情報（ここでは、３つの画像に含まれる複数の設定項目のいずれかを指定する押下操作の位置（タッチ位置）の座標情報（設定項目の座標値）および設定用の入力値（設定用入力値）等）を親装置１０ａに送信する（ステップＳ４７）。このとき、当該座標情報は、個別設定画面４５０内の基準点（たとえば左上の点）を原点とする相対座標系の座標値として表現されればよい。
【０１６６】
親装置１０ａは、ユーザによる操作情報（第１の設定用情報）を受信する（ステップＳ３１（図１７））と、当該第１の設定用情報（受信情報）を解析し、ユーザ操作の指示内容を判定（把握）する。
【０１６７】
親装置１０ａは、その解析結果に応じてステップＳ３３，Ｓ３５，Ｓ４１の分岐処理を行う。たとえば、ユーザ操作が設定項目の設定操作であることが解析結果として得られる場合には、ステップＳ３５で「ＹＥＳ」であると判定され、ステップＳ３６に進む。ステップＳ３６の判定処理において、現在の設定画面が「個別設定画面」であると判定されると、ステップＳ５３に進む。
【０１６８】
ステップＳ５３では、親装置１０ａは、第１の設定用情報に含まれる位置情報（個別設定画面内におけるユーザ操作位置の情報）に基づいて、ユーザ操作が複数のＭＦＰ１０のうちのいずれのＭＦＰに関する設定操作であるかを決定する。換言すれば、当該位置情報に基づき複数のＭＦＰ１０の中から設定対象装置が決定される。たとえば、当該位置情報が最も右側の装置の設定画面内の位置を示すものであると判定されるときには、最も右側の装置（ＭＦＰ１０ｂ）が設定対象装置（設定対象子装置でもある）として決定される。
【０１６９】
そして、親装置１０ａは、第１の設定用情報に基づく第２の設定用情報（設定内容を設定するための情報）を生成し、設定対象子装置に固有の値を設定対象子装置にて設定するために、当該第２の設定用情報を設定対象子装置（たとえば子装置１０ｂ）に対して送信する（図１９も参照）。より詳細には、親装置１０ａは、携帯端末５０を介さずに直接的に（換言すれば、遠隔操作モードによる親装置１０ａと携帯端末５０との間の通信ルートとは別のルートで）設定対象子装置（子装置１０ｂ等）に対して第２の設定用情報を送信する。設定対象子装置は、受信した第２の設定用情報に基づいて、当該個別設定項目に関する設定処理を実行する。
【０１７０】
たとえば、親装置１０ａは、設定項目に対応するタッチ座標と当該設定項目における設定入力値とを第１の設定用情報として携帯端末５０から受信すると、親装置１０ａは、次のような設定用情報（第２の設定用情報）を生成する。具体的には、親装置１０ａは、この個別設定項目に関する個別設定画面の画面ＩＤを追加するとともに、当該個別設定画面内の設定項目に対応する「タッチ座標」を「設定項目の項目ＩＤ」に変換した情報を第２の設定用情報として生成する。すなわち、親装置１０ａは、この個別設定項目に関する個別設定画面の画面ＩＤと、設定項目の項目ＩＤと、当該設定項目における設定入力値とを含む情報を、第２の設定用情報として生成する。そして、親装置１０ａは、この第２の設定用情報を設定対象子装置（１０ｂ等）に対して送信する。
【０１７１】
設定対象子装置（１０ｂ等）は、個別設定項目に関して、親装置１０ａから受信した第２の設定用情報に基づく設定内容を、当該子装置１０ｂ自身に設定する。具体的には、子装置１０ｂは、ユーザにより設定対象装置毎に個別に指定された入力内容に基づく設定内容（たとえば、「１９２．１６８．２０．３」）を個別設定項目（「ＩＰアドレス」）に関して設定する。このようにして個別設定項目に関する設定処理が実行されることによって、個別設定項目に関して、複数のＭＦＰ１０（１０ａ，１０ｂ，１０ｃ）のそれぞれに個別の内容が登録される。
【０１７２】
その後、他の子装置１０ｃに対しても同様にして個別設定項目に関する設定操作が行われ得る。たとえば、携帯端末５０は、ユーザのフリック操作に応答して、個別設定画面４５０における表示対象領域を変更する。当該表示対象領域の変更に応じて、個別設定画面４５０内の最も左側の入力欄（ＭＦＰ１号機用のＩＰアドレス設定項目の入力欄）が表示され、その状態において当該入力欄に設定用入力値がユーザによって入力される。そして、当該ユーザ操作による設定用情報が親装置１０ａを経由して子装置１０ｃに送信され、子装置１０ｃにて設定処理が行われる。たとえば、子装置１０ｃは、ユーザにより子装置１０ｃ向けに個別に指定された入力内容に基づく設定内容（たとえば、「１９２．１６８．２０．１」）を個別設定項目（「ＩＰアドレス」）に関して設定する。
【０１７３】
また、他の装置１０ａ（親装置１０ａ）に対しても同様にして個別設定項目に関する設定操作が行われ得る。親装置１０ａの個別設定項目に関しては、第１の設定用情報に基づく設定内容が親装置１０ａ自身に登録される。たとえば、親装置１０ａは、ユーザにより親装置１０ａ向けに個別に指定された入力内容に基づく設定内容（たとえば、「１９２．１６８．２０．２」）を個別設定項目（「ＩＰアドレス」）に関して設定する。
【０１７４】
このようにして、或る個別設定項目に関して、複数のＭＦＰ１０（１０ａ，１０ｂ，１０ｃ）のそれぞれにおいて、個別の内容が登録される。なお、親装置１０ａの処理は再びステップＳ３１に戻る。
【０１７５】
その後、操作者が個別設定画面内のＯＫボタンを押下すると、携帯端末５０は当該ユーザ操作を受け付け、操作情報（タッチ座標等）を親装置１０ａに送信する（ステップＳ４７）。
【０１７６】
親装置１０ａは、当該操作情報を受信し解析する（ステップＳ３１，Ｓ３２）。親装置１０ａは、ユーザ操作がＯＫボタンの押下であり且つ画面遷移指示である旨を判定し、処理はステップＳ４１を経由してステップＳ４２に進む。
【０１７７】
ステップＳ４２において、親装置１０ａは、画面データテーブル２００（図４参照）等に基づいて、次の遷移先画面を決定する。たとえば、別の「個別設定項目」に関する設定画面（個別設定画面）が次の遷移先画面として決定される。そして、親装置１０ａは当該個別設定画面（詳細には所定の形式で圧縮された画像データ）を生成し（ステップＳ４４）、当該個別設定画面を携帯端末５０に送信する（ステップＳ４６）。
【０１７８】
以降、同様の動作が繰り返し実行される。
【０１７９】
以上のような動作によれば、携帯端末５０が親装置１０ａとの間でリモート接続されている期間内において、共通設定項目のみならず個別設定項目についても、複数のＭＦＰ１０のうちの任意のＭＦＰ１０に関する設定を行うことが可能である。より詳細には、操作画面（設定画面）が個別設定画面であると判定される場合（ステップＳ５３）、携帯端末５０から受信した情報（第１の設定用情報）に基づく設定用情報（第２の設定用情報）が、親装置１０ａから設定対象子装置に対して送信される。
【０１８０】
このように、携帯端末５０と親装置１０ａとの間の通信、および親装置１０ａと各子装置１０ｂ，１０ｃとの間の通信を利用して、個別設定項目に関する設定用情報が携帯端末５０から親装置１０ａを介して子装置１０ｂ等に送信され、子装置１０ｂ等の設定を行うことが可能である。換言すれば、個別設定項目に関しても、携帯端末５０は、親装置１０ａのみとの間でリモートパネル接続を確立したままの状態で（当該リモートパネル接続を解除することなく）他の子装置の設定を行うことが可能である。すなわち、親装置１０ａとの遠隔操作モードによる通信接続を利用して、特定の子装置に対しても設定処理を行うことが可能である。したがって、個別設定項目に関しても、他の子装置の設定のために、携帯端末５０と当該他の子装置（子ＭＦＰ）との間のリモート接続をやり直すことを要しないので、操作が非常に容易である。端的に言えば、ＭＦＰ１０の操作画面を利用しつつ、複数のＭＦＰ１０に関する設定処理をさらに容易に行うことが可能である。
【０１８１】
なお、第１実施形態においては「共通設定」のみが行われる態様が例示され、第２の実施形態においては「共通設定」と「個別設定」との双方が行われる態様が例示されているが、本発明はこれに限定されない。たとえば、「個別設定」のみが行われるようにしてもよい。
【０１８２】
＜３．第３実施形態＞
上記第２実施形態においては、携帯端末５０におけるユーザのフリック操作に応じて個別設定画面４５０内の表示対象領域が変更される態様を例示した。この第３実施形態においては、携帯端末５０が複数のＭＦＰ１０との位置関係を取得し、携帯端末５０の操作者の視線方向と携帯端末５０の現在位置から見た複数のＭＦＰ１０の方向との関係に基づいて個別設定画面４５０内の表示対象領域が自動的に変更される態様を例示する。
【０１８３】
図２２に示すように、携帯端末５０は、第１実施形態と同様に、ステップＳ１１（Ｓ１１ｃ）においてユーザの移動に伴って、複数のＭＦＰ１０のそれぞれとの間で順次に且つ個別に近距離無線通信を確立して行く。ただし、この際において、方位検出センサ５７ａおよび加速度センサ５７ｂ等を用いて、当該複数のＭＦＰ１０の相互間における移動距離および移動方向を検出する。より詳細には、携帯端末５０は、近距離無線通信を用いて各ＭＦＰ１０の装置情報を取得するとともに、近距離無線通信による装置情報の取得処理が行われた位置を各ＭＦＰ１０の存在位置（Ｐ１〜Ｐ３（図２３参照））であると認識する。また、携帯端末５０は、或る装置の存在位置（近距離無線接続成功位置）から次の装置の存在位置へとユーザ（および携帯端末５０）が移動する際の移動距離および移動方向を各種センサによって検出する。そして、携帯端末５０は、検出された移動距離および移動方向を用いて、複数のＭＦＰ１０のそれぞれの存在位置の位置情報（複数のＭＦＰ１０の相互間の相対的位置関係）をも取得する。また、携帯端末５０は、複数のＭＦＰ１０のいずれかの存在位置（たとえば位置Ｐ３（図２３））から携帯端末５０の現在の操作位置（たとえば位置Ｐ０（図２３））へと移動する際の移動距離および移動方向をも当該各種センサを用いて検出する。そして、携帯端末５０は、検出された移動距離および移動方向を用いて、当該現在の操作位置と複数のＭＦＰ１０の各位置との相対的位置関係を取得する。
【０１８４】
図２３は、このようにして取得された位置情報（地図情報）を示す図である，携帯端末５０は、この地図情報に示すような位置情報、具体的には、各ＭＦＰ１０ｃ，１０ａ，１０ｂの各位置Ｐ１，Ｐ２，Ｐ３と携帯端末５０の現在位置Ｐ０との相対的位置関係等を取得することが可能である。
【０１８５】
また、この第３実施形態では、ステップＳ４５において、この相対位置関係にも基づいて個別設定画面４５０（４５０ｃ）が生成される。具体的には、図２４に示すように、携帯端末５０から見た配置順序に従って３つの画像が配置される。詳細には、３台のＭＦＰ１０のうち、最も左側のＭＦＰ１０ｃに対応する合成前画像が個別設定画面４５０ｃ内において最も左側に配置され、当該個別設定画面４５０ｃ内において最も右側のＭＦＰ１０ｂに対応する合成前画像が最も右側に配置される。また、中央のＭＦＰ１０ａに対応する合成前画像が、個別設定画面４５０ｃ内において中央に配置される。
【０１８６】
当該３つの画像（複数のＭＦＰ１０の台数分の複数の画像）は、親装置１０ａの設定画面（個別設定項目に関する設定画面）を複製することによって生成され、当該３つの画像が所定方向に配列されて合成されることによって個別設定画面４５０ｃが生成される。
【０１８７】
また、ステップＳ４６において、携帯端末５０は、携帯端末５０の操作者の視線方向に応じて、個別設定画面４５０ｃ内の表示対象領域を変更（移動）する。
【０１８８】
具体的には、まず、携帯端末５０は、当該携帯端末５０の向き（より詳細には、タッチパネル７５（表示画面）の左辺（あるいは右辺）に沿って下端側から上端側に向かうベクトルが指し示す方位）を方位検出センサ５７ａによって測定する。当該携帯端末５０の向きは、携帯端末５０の操作者の視線方向を示すものとして認識される。また、携帯端末５０は、上述の地図情報と携帯端末５０の向きとに基づいて、携帯端末の現在位置から見た複数のＭＦＰ１０の方向（各ＭＦＰの存在位置に対応する方向）をも取得する。
【０１８９】
そして、携帯端末５０は、操作者の視線方向（携帯端末５０の向き）と複数のＭＦＰ１０の存在位置に対応する方向（方位）とに基づいて、個別設定画面４５０の表示対象領域を変更する。
【０１９０】
より詳細には、携帯端末５０がＭＦＰ１０ｃの存在位置Ｐ１（図２３）に対応する方位（たとえば、北西）に向いている場合（図２５も参照）には、携帯端末５０は、ＭＦＰ１０ｃの設定画面（個別設定画面４５０のうちの最も左側の３分の１の領域）をタッチパネル７５に表示する（図２４参照）。なお、図２４では、タッチパネル７５における表示対象領域が破線で示されている。
【０１９１】
また、携帯端末５０がＭＦＰ１０ｂの存在位置Ｐ３（図２３）に対応する方位に向いている場合（図２６も参照）には、携帯端末５０は、図２７に示すように、ＭＦＰ１０ｂの設定画面（個別設定画面４５０のうちの最も右側の３分の１の領域）をタッチパネル７５に表示する。なお、図２７においても、タッチパネル７５における表示対象領域が破線で示されている。
【０１９２】
同様に、携帯端末５０がＭＦＰ１０ａの存在位置Ｐ２（図２３）に対応する方位に向いている場合には、携帯端末５０は、図２８に示すように、ＭＦＰ１０ｂの設定画面をタッチパネル７５に表示する。なお、図２８においても、タッチパネル７５における表示対象領域が破線で示されている。
【０１９３】
また、携帯端末５０が２つのＭＦＰ１０の中間位置に対応する方位に向かっている場合には、携帯端末５０は、当該２つのＭＦＰの設定画面に跨がる範囲をタッチパネル７５に表示する。たとえば、携帯端末５０が２つのＭＦＰ１０ｃ，１０ａの中間位置に対応する方位（北北西等）に向かっている場合には、携帯端末５０は、ＭＦＰ１０ｃの設定画面の右半領域とＭＦＰ１０ａの設定画面の左半領域とに跨がる範囲をタッチパネル７５に表示する。ただし、これに限定されず、複数のＭＦＰ１０のうち、携帯端末５０の向きに対応する方位に最も近い方位（方向）に存在するＭＦＰの設定画面のみが選択的に表示されるようにしてもよい。
【０１９４】
以上のようにして、個別設定画面４５０のうちの表示対象領域が、携帯端末５０の向きに応じて自動的に変更され、変更後の表示対象領域に対応する一部の領域（一部の範囲）がタッチパネル７５に表示される。
【０１９５】
なお、第２および第３実施形態では、個別設定画面４５０が、親装置１０ａに格納されている設定画面（個別設定項目に対応する設定画面）を３枚分コピーすることによって生成されているが、これに限定されない。
【０１９６】
たとえば、第２および第３実施形態において、各子装置１０ｂ，１０ｃに対して、各子装置１０ｂ，１０ｃに格納されている設定画面（個別設定項目に対応する設定画面）を親装置１０ａに送信すべき旨を依頼するようにしてもよい。そして、依頼に応じて返信されてきた２枚の設定画面（子装置１０ｂ，１０ｃ用の設定画面）と親装置１０ａに格納されている設定画面（個別設定項目に対応する設定画面）とを合成することによって、個別設定画面４５０が生成されるようにしてもよい。
【０１９７】
あるいは、第２および第３実施形態において、各子装置１０ｂ，１０ｃ用の設定画面もが親装置１０ａに予め格納されている場合には、当該親装置１０ａに格納されている３つの画像（各装置１０ａ，１０ｂ，１０ｃ用の３つの設定画面）が合成されて、個別設定画面４５０が生成されるようにしてもよい。
【０１９８】
＜４．第４実施形態＞
上記第２および第３実施形態では、ステップＳ４５（図１７）において、図２１に示すような個別設定画面（３枚の合成前画像が並列配置されて合成された合成画像）４５０が生成されているが、これに限定されない。たとえば、ステップＳ４５において、図２９に示すような個別設定画面（或る設定画面と切換用の「タブ」との合成画像）４５０（４５０ｂ）が生成されるようにしてもよい。端的に言えば、タブ方式の個別設定画面が生成されるようにしてもよい。第４実施形態では、このような改変例について説明する。以下では、第２実施形態との相違点を中心に説明する。
【０１９９】
第４実施形態では、ステップＳ４５において、親装置１０ａに格納されている親装置１０ａ用の設定画面（個別設定項目に関する設定画面）と複数のタブ画像とを合成することによって個別設定画面４５０ｂ（４５１）（図２９）が生成される。タブ画像は、「タブ」を形成する矩形形状の部品画像であり、当該タブ画像にはタブ名称（「１号機」、「２号機」等）が付される。個別設定画面４５０ｂは、個別設定項目に関する設定画面であって親装置１０ａに格納されている親装置１０ａ用の設定画面（親装置用設定画面とも称する）と複数のタブ画像とを合成することによって生成される。個別設定画面４５１においては、「１号機」のタブ画像が最前面に表示され、「１号機」の設定が有効であることが示される。
【０２００】
当該個別設定画面４５０ｂ（４５１）は、親装置１０ａから携帯端末５０に送信され、タッチパネル７５に表示される（ステップＳ４６）。
【０２０１】
また、これらの複数のタブ画像に対する押下操作は、設定画面の切換指示操作であるとみなされる。
【０２０２】
たとえば、個別設定画面４５０ｂの「２号機」タブが選択されると、図３０に示すように、「１号機」（ＭＦＰ１０ｃ）用の個別設定画面４５１（図２９）に代わって、「２号機」（ＭＦＰ１０ａ）用の個別設定画面４５２（図３０）が最前面に表示される。
【０２０３】
具体的には、当該タブ画像に対する押下操作における操作位置（押下位置）を含む位置情報が携帯端末５０から親装置１０ａへと送信され、親装置１０ａは、当該操作位置に基づいて、新たな設定対象装置（ここでは、「２号機」）を決定する。親装置１０ａは、当該操作位置に基づいて、複数のタブ画像の中から、ユーザによる押下操作に対応するタブ画像を特定し、当該特定されたタブ画像に対応する装置を設定対象装置として特定する。そして、親装置１０ａは、当該新たな設定対象装置（ここでは、親装置１０ａ）に対応する更新後（タブ切換後）の個別設定画面４５２を生成する。個別設定画面４５２は、親装置用設定画面と複数のタブ画像とを合成することによって生成される。ただし、個別設定画面４５２においては、「２号機」のタブ画像が最前面に表示される。
【０２０４】
親装置１０ａは、当該個別設定画面４５２を携帯端末５０へと送信し、携帯端末５０は当該個別設定画面４５２をタッチパネル７５に表示する。このようにして、設定画面に対するタブ切換処理が行われる。
【０２０５】
同様に、個別設定画面４５０ｂの「３号機」タブが選択されると、図３１に示すように、今度は、「３号機」（ＭＦＰ１０ｂ）用の個別設定画面４５３が最前面に表示される。このような切換処理も携帯端末５０と親装置１０ａとの通信処理および親装置１０ａと子装置１０ｃとの通信処理を伴って実行される。
【０２０６】
具体的には、当該タブ画像に対する押下操作における操作位置（押下位置）を含む位置情報が携帯端末５０から親装置１０ａへと送信され、親装置１０ａは、当該操作位置に基づいて、新たな設定対象装置（「３号機」）を決定する。ここでは、子装置１０ｃが新たな設定対象装置（設定対象子装置とも称される）として決定される。そして、親装置１０ａは、当該新たな設定対象装置に対応する更新後（タブ切換後）の個別設定画面４５３を生成する。個別設定画面４５３は、親装置用設定画面と複数のタブ画像とを合成することによって生成される。ただし、個別設定画面４５３においては、「３号機」のタブ画像が最前面に表示される。
【０２０７】
このように、個別設定画面４５０ｂに対して当該タブ切換操作が行われた際において、親装置１０ａは、複数のタブ画像に対する押下操作の操作位置を含む位置情報を携帯端末５０から受信する。そして、親装置１０ａは、当該位置情報に基づき複数のＭＦＰ１０の中から設定対象子装置をも決定する。換言すれば、親装置１０ａは、携帯端末５０にて何れの装置向けの画面を表示すべきかを判定する。
【０２０８】
その後、ＯＫボタンの押下操作がさらに行われると、ステップＳ５３（図１７）において、親装置１０ａは、当該設定対象装置（設定対象の親装置あるいは子装置）に対して第２の設定用情報を送信する。
【０２０９】
このような態様によっても、第２実施形態と同様の効果を得ることが可能である。
【０２１０】
＜５．第５実施形態＞
第５実施形態は、第４実施形態の変形例である。
【０２１１】
第４実施形態においては、タブ方式の個別設定画面の表示中における「タブ」への切換操作（手動操作）に応じて、個別設定画面が切り換えられている。
【０２１２】
この第５実施形態においては、タブ方式の個別設定画面の表示中において、第３実施形態と同様に、携帯端末５０の操作者の視線方向（携帯端末５０の向き）に応じて個別設定画面が自動的に変更される態様について説明する。
【０２１３】
具体的には、携帯端末５０は、第３実施形態と同様にして地図情報を生成する。そして、携帯端末５０は、携帯端末５０の操作者の視線方向と携帯端末５０の現在位置から見た複数のＭＦＰ１０の方向との関係に基づいて複数のＭＦＰ１０の中から設定対象子装置を特定する。そして、設定対象子装置に関する設定画面が携帯端末５０のタッチパネル７５に操作画面として表示される。
【０２１４】
たとえば、ステップＳ４５において、携帯端末５０の操作者の視線方向に最も近い方位（方向）に存在するＭＦＰ１０が設定対象装置として判定される。そして、当該設定対象装置用の個別設定画面４５０（４５１〜４５３のいずれか）が生成される。ただし、この第５実施形態では、３つのＭＦＰ１０の相対位置関係にも基づいて個別設定画面４５０（４５１〜４５３）が生成される。具体的には、携帯端末５０の操作者から見た配置順序に従って３つのタブ画像が配置される。詳細には、３台のＭＦＰ１０のうち、最も左側のＭＦＰ１０ｃに対応するタブ画像が最も左側に配置され、最も右側のＭＦＰ１０ｂに対応するタブ画像が最も右側に配置される。また、中央のＭＦＰ１０ａに対応するタブ画像が中央に配置される。
【０２１５】
各個別設定画面（タブ方式の個別設定画面）４５０ｂ（４５１〜４５３）は、親装置１０ａの設定画面（個別設定項目に関する設定画面）と上述の順序で配列された複数のタブ画像とが合成されることによって生成される。
【０２１６】
そして、親装置１０ａは、タブ方式の個別設定画面４５０ｂ（たとえば４５１）を携帯端末５０に送信する。
【０２１７】
携帯端末５０は、受信された設定画面（更新後の設定画面）をタッチパネル７５に表示する。
【０２１８】
さらに、親装置１０ａは、携帯端末５０における操作画面（タブ方式の個別設定画面）の表示期間中において、携帯端末５０から自動的に送信される表示更新指令（設定対象装置の変更指令）をも受け付ける。
【０２１９】
具体的には、携帯端末５０は、操作画面の表示中において、携帯端末５０の操作者の視線方向と上述の地図情報等とに応じて、個別設定画面４５１〜４５３のいずれを表示すべきかを判定する。より詳細には、携帯端末５０は、携帯端末５０の操作者の視線方向と携帯端末５０の現在位置から見た複数のＭＦＰ１０の方向との関係に基づいて複数のＭＦＰ１０の中から設定対象装置を特定し、その特定結果を画面更新依頼（表示更新指令）とともに親装置１０ａに送信する。このように携帯端末５０は、操作画面の表示中において、位置情報のみならず画面更新依頼等をも親装置１０ａに送信することが可能である。
【０２２０】
親装置１０ａは、画面更新依頼および特定結果等を受信すると、当該特定結果にて指定された設定対象装置用の設定画面（更新後の設定画面）を生成する。具体的には、親装置１０ａは、親装置用設定画面と複数のタブ画像との合成画像であって複数のタブ画像のうち設定対象装置に対応するタブ画像が最前面に表示された合成画像を、更新後の設定画面として生成する。更新後の設定画面（たとえば個別設定画面４５３）においては、携帯端末５０の操作者から見た３台のＭＦＰ１０の配置順序に従って、更新前の個別設定画面（４５１等）と同じ順序で３つのタブ画像が配置される。ただし、設定対象装置に対応するタブ画像（たとえば「３号機」のタブ）が最前面に配置される（図３１参照）。
【０２２１】
このように、携帯端末５０の操作者の視線方向と携帯端末５０の現在位置から見た複数のＭＦＰ１０の方向との関係に基づいて、携帯端末５０の操作者の視線方向に最も近い方向に存在するＭＦＰ１０が設定対象装置として特定される。そして、当該設定対象装置に関する個別設定画面が携帯端末５０のタッチパネル７５に操作画面として表示される。
【０２２２】
このような態様によっても、第３実施形態と同様の効果を得ることが可能である。
【０２２３】
なお、第４および第５実施形態では、個別設定画面４５１〜４５３は、いずれも親装置１０ａに格納されている設定画面（個別設定項目に対応する設定画面）を利用して生成されている。具体的には、親装置用設定画面と複数のタブ画像とを合成することによって個別設定画面が生成されている。しかしながら、本発明は、これに限定されない。
【０２２４】
たとえば、第４および第５実施形態において、「子装置用設定画面」と複数のタブ画像とを合成することによって個別設定画面が生成されるようにしてもよい。なお、「子装置用設定画面」は、子装置（設定対象子装置）の個別設定項目に関する設定操作画面であって当該子装置１０ｂ（または１０ｃ）に格納されている当該子装置用の設定画面である。
【０２２５】
より具体的には、第５実施形態のように携帯端末５０によって設定対象装置が特定される場合には、特定された設定対象装置に関する情報（および画面更新依頼）が携帯端末５０から親装置１０ａに送信される。第４実施形態のようにタブ画像に対する押下操作に関する位置情報が携帯端末５０から親装置１０ａへと送信される場合には、親装置１０ａ自身が設定対象装置を特定する。
【０２２６】
そして、親装置１０ａは、設定対象装置が変更された旨を判定すると、表示対象の個別設定画面を更新すべき（設定対象装置を変更すべき）旨を判定し、次のような動作を行う。
【０２２７】
まず、親装置１０ａは、設定対象子装置１０ｂ（あるいは１０ｃ）に対して、当該設定対象子装置に格納されている設定画面（個別設定項目に対応する設定画面）を親装置１０ａに送信すべき旨を依頼する。親装置１０ａは、設定対象子装置（１０ｂ）用の設定画面が当該設定対象子装置から返信されてくると、当該設定画面（子装置用設定画面）と複数のタブ画像とを合成して個別設定画面４５０ｂ（４５２）を生成する。
【０２２８】
そして、親装置１０ａは、当該個別設定画面４５０ｂを携帯端末５０に送信し、携帯端末５０は、当該個別設定画面４５０ｂ（たとえば、子装置１０ｂ向けの個別設定画面４５３）をタッチパネル７５に表示する。その後、当該個別設定画面４５０ｂに対する設定操作が受け付けられる。
【０２２９】
このようにして、「子装置用設定画面」と複数のタブ画像とを合成することによって個別設定画面が生成されるようにしてもよい。
【０２３０】
あるいは、第４および第５実施形態において、各子装置１０ｂ，１０ｃ用の設定画面もが親装置１０ａに予め格納されている場合には、当該親装置１０ａに格納されている３つの画像（各装置１０ａ，１０ｂ，１０ｃ用の３つの設定画面）のいずれかとタブ画像とが合成されて、個別設定画面４５１〜４５３のいずれかがそれぞれ生成されるようにしてもよい。
【０２３１】
＜６．変形例等＞
以上、この発明の実施の形態について説明したが、この発明は上記説明した内容のものに限定されるものではない。
【０２３２】
たとえば、個別設定画面４５０は、図３２に示すような個別設定画面４５０ｃであってもよい。個別設定画面４５０ｃは、個別設定項目（たとえば「ＩＰアドレス」）に関する入力欄であって複数のＭＦＰ１０の台数分（３台分）の入力欄を配列した画面である。ここでは、上下方向において３つの入力欄４７１〜４７３（具体的には、（上から順に）、１号機用入力欄４７１、２号機用入力欄４７２、３号機用入力欄４７３）が並べて配置されている。なお、これに限定されず、左右方向に３つの入力欄４７１〜４７３が並べて配置されるようにしてもよい。このような個別設定画面４５０ｃが、親装置１０ａによって生成されて携帯端末５０に送信されると、携帯端末５０のタッチパネル７５において表示される。この際、タッチパネル７５においては、個別設定画面４５０ｃの全範囲がタッチパネル７５の全範囲にほぼ等しくなるように表示される。換言すれば、当該個別設定画面４５０ｃの全範囲が表示対象範囲として表示される。このように個別設定画面４５０ｃが利用されるようにしてもよい。
【０２３３】
また、上記各実施形態においては、携帯端末５０が、複数の画像形成装置の装置情報に基づいて親装置を決定しているが、これに限定されない。たとえば、管理者（操作者）が予め特定のＭＦＰを親装置として決定しておくようにしてもよい。
【０２３４】
また、上記各実施形態においては、ステップＳ１１にて携帯端末５０と各ＭＦＰ１０とが近距離無線通信を行うことによって携帯端末５０が各ＭＦＰ１０の装置情報を取得し、当該携帯端末５０が当該装置情報を親装置１０ａに送信することによって親装置１０ａが当該装置情報を取得している（ステップＳ１３）。しかしながら、本発明は、これに限定されない。たとえば、複数のＭＦＰ１０の各装置情報が親装置１０ａの格納部５に予め格納されているものとし、親装置１０ａは、各装置情報を格納部５から抽出することにより各装置情報を取得するようにしてもよい。この場合、親装置１０ａは、抽出された当該各装置情報に基づいて、子装置の通信先情報を取得すること等が可能である。
【符号の説明】
【０２３５】
１  画像形成システム
１０，１０ａ，１０ｂ，１０ｃ  ＭＦＰ（画像形成装置）
２５  （ＭＦＰの）タッチパネル
５０  携帯端末
７５  （携帯端末の）タッチパネル
２００  画面データテーブル
３１０  共通設定画面
４５０ａ，４５０ｂ，４５０ｃ，４５１〜４５３  個別設定画面
【図１】
2016182778.tif 000003
【図２】
2016182778.tif 000004
【図３】
2016182778.tif 000005
【図４】
2016182778.tif 000006
【図５】
2016182778.tif 000007
【図６】
2016182778.tif 000008
【図７】
2016182778.tif 000009
【図８】
2016182778.tif 000010
【図９】
2016182778.tif 000011
【図１０】
2016182778.tif 000012
【図１１】
2016182778.tif 000013
【図１２】
2016182778.tif 000014
【図１３】
2016182778.tif 000015
【図１４】
2016182778.tif 000016
【図１５】
2016182778.tif 000017
【図１６】
2016182778.tif 000018
【図１７】
2016182778.tif 000019
【図１８】
2016182778.tif 000020
【図１９】
2016182778.tif 000021
【図２０】
2016182778.tif 000022
【図２１】
2016182778.tif 000023
【図２２】
2016182778.tif 000024
【図２３】
2016182778.tif 000025
【図２４】
2016182778.tif 000026
【図２５】
2016182778.tif 000027
【図２６】
2016182778.tif 000028
【図２７】
2016182778.tif 000029
【図２８】
2016182778.tif 000030
【図２９】
2016182778.tif 000031
【図３０】
2016182778.tif 000032
【図３１】
2016182778.tif 000033
【図３２】
2016182778.tif 000034